(57)【要約】  ユーザ機器（ＵＥ）が、データを基地局に自律的に送信し得る、ワイヤレス通信システム内での競合ベースアップリンク通信が提供され、それにより、アップリンクリソースをＵＥに割り振るための確立されたプロシージャに関する遅延を低減し得る。基地局が、利用可能なアップリンクリソースのセットから競合ベースアップリンクリソースを割り振り得る。ＵＥが、競合ベースアップリンクリソースを使用してデータが送信されるべきであると決定し、基地局によって割り振られた利用可能な競合ベースリソースを識別し得、割り振られた競合ベースリソースを使用してデータを自律的に送信し得る。競合ベースアップリンクリソースは、利用可能な物理アップリンク共有チャネル（ＰＵＳＣＨ）リソースのサブセットを含み得る。競合ベースＰＵＳＣＨリソースは、割り振られたビンを含み得、ＵＥが、アップリンクデータの送信のためにビンのうちの１つからＣＢ−ＰＵＳＣＨリソースを選択し得る。
2017535156.tif 000002
【特許請求の範囲】
【請求項１】
アップリンクリソースのセットを使用して送信されるべきデータを識別することと、
前記アップリンクリソースの競合ベースサブセットを使用してまたは前記アップリンクリソースの許可ベースサブセットを使用して、前記データが送信されるべきであると決定することと、
前記アップリンクリソースの前記競合ベースサブセットまたは前記アップリンクリソースの前記許可ベースサブセットを使用して、前記データを送信することと、
を備える、ワイヤレス通信のための方法。
【請求項２】
前記アップリンクリソースの前記許可ベースサブセットを使用して前記データが送信されるべきであると決定することに少なくとも部分的に基づいて、アップリンク制御チャネルを使用してスケジューリング要求（ＳＲ）を送信することと、
前記データを送信するために、前記アップリンクリソースの前記許可ベースサブセットを割り振るアップリンク許可を受信することと、
をさらに備える、請求項１に記載の方法。
【請求項３】
前記アップリンクリソースの前記競合ベースサブセットを使用して前記データが送信されるべきであると決定することに少なくとも部分的に基づいて、前記アップリンクリソースの前記競合ベースサブセットのうちの１つまたは複数のリソースを識別することと、
前記アップリンクリソースの前記競合ベースサブセットのうちの前記識別された１つまたは複数のリソースを使用して、前記データを自律的に送信することと、
をさらに備える、請求項１に記載の方法。
【請求項４】
前記アップリンクリソースの前記競合ベースサブセットに少なくとも部分的に基づいて、前記データを送信するための変調およびコーディング方式（ＭＣＳ）を決定すること
をさらに備える、請求項３に記載の方法。
【請求項５】
前記アップリンクリソースの前記競合ベースサブセットに少なくとも部分的に基づいて、前記データを送信するための利用可能な送信電力のセットから送信電力を決定すること
をさらに備える、請求項３に記載の方法。
【請求項６】
前記アップリンクリソースの前記競合ベースサブセットを使用して前記データが送信されるべきであると前記決定することは、
スケジューリング要求（ＳＲ）が送信されてからの経過時間がしきい値を超えると決定することと、
前記経過時間が前記しきい値を超えると決定することに少なくとも部分的に基づいて、前記アップリンクリソースの前記競合ベースサブセットを使用して前記データを送信することを決定することと、
を備える、請求項３に記載の方法。
【請求項７】
前記アップリンクリソースの前記競合ベースサブセットが、前記データに関連する同時スケジューリング要求（ＳＲ）をサポートすると決定することと、
前記アップリンクリソースの前記競合ベースサブセットを使用して、前記データと同時に前記ＳＲを送信することと、
をさらに備える、請求項３に記載の方法。
【請求項８】
前記アップリンクリソースの前記競合ベースサブセットのうちの前記１つまたは複数のリソースを識別することが、
競合ベースアップリンク送信のための１つまたは複数のビンを識別することと、
前記データを送信するために前記１つまたは複数のビンのうちのビンを選択することと、
を備える、請求項３に記載の方法。
【請求項９】
前記１つまたは複数のビンのうちの前記ビンを選択することが、
複数の割り振られたビンから前記ビンをランダムに選択すること
を備える、請求項８に記載の方法。
【請求項１０】
前記１つまたは複数のビンのうちの前記ビンを選択することが、
送信されるべき前記データの１つまたは複数の特性を識別することと、
前記１つまたは複数の特性に少なくとも部分的に基づいて、前記ビンを選択することと、
を備える、請求項８に記載の方法。
【請求項１１】
前記１つまたは複数の特性が、送信されるべきデータの量、送信されるべき前記データに関連するトラフィックのタイプ、または送信されるべき前記データのソースのうちの少なくとも１つ、あるいはそれらの任意の組合せを備える、請求項１０に記載の方法。
【請求項１２】
前記１つまたは複数のビンを示すシグナリングを受信すること、ここにおいて、前記シグナリングが、ＲＲＣシグナリング、システム情報ブロック（ＳＩＢ）、または物理ダウンリンク制御チャネル（ＰＤＣＣＨ）シグナリングのうちの少なくとも１つ、あるいはそれらの任意の組合せを備える、
をさらに備える、請求項８に記載の方法。
【請求項１３】
無線ネットワーク一時識別子（ＲＮＴＩ）のセットを受信することと、
物理ダウンリンク制御チャネル（ＰＤＣＣＨ）を監視するために使用されるべきＲＮＴＩの前記セットからのＲＮＴＩを決定することと、
前記決定されたＲＮＴＩについて前記ＰＤＣＣＨを監視することと、
をさらに備え、
ここにおいて、前記監視することに少なくとも部分的に基づいて、前記アップリンクリソースの前記競合ベースサブセットのうちの前記１つまたは複数のリソースが識別される、
請求項３に記載の方法。
【請求項１４】
前記データが、データペイロード、前記データを送信するデバイスの識別情報、または送信されるべきであるデータの量を示すバッファステータス報告のうちの少なくとも１つ、あるいはそれらの任意の組合せを備える、請求項１に記載の方法。
【請求項１５】
前記アップリンクリソースの前記競合ベースサブセットを使用して前記データを送信したことに応答して、否定応答メッセージが受信される、または肯定応答メッセージが受信されないと決定することと、
前記否定応答メッセージが受信される、または確認応答メッセージが受信されないと決定することに少なくとも部分的に基づいて、前記データに関連するスケジューリング要求を送信することと、
をさらに備える、請求項１に記載の方法。
【請求項１６】
前記データが、送信されるべきデータの量を示すバッファステータス報告（ＢＳＲ）と、前記ＢＳＲを送信するデバイスの識別子とを備える、請求項１に記載の方法。
【請求項１７】
前記アップリンクリソースの前記競合ベースサブセットを使用してバッファステータス報告（ＢＳＲ）が送信されるべきであると決定することと、
前記アップリンクリソースの前記競合ベースサブセットを使用して、前記ＢＳＲを自律的に送信することと、
をさらに備える、請求項１に記載の方法。
【請求項１８】
前記アップリンクリソースの前記競合ベースサブセット内の識別されたＢＳＲリソースを使用して前記ＢＳＲが送信される、請求項１７に記載の方法。
【請求項１９】
前記識別されたＢＳＲリソースが、前記アップリンクリソースの前記競合ベースサブセットのうちの１つのリソースブロック上の１つの符号分割多重化（ＣＤＭ）コードを備える、請求項１８に記載の方法。
【請求項２０】
前記アップリンクリソースの前記競合ベースサブセットを使用する前記データの送信の不成功に少なくとも部分的に基づいて、前記ＢＳＲ送信に応答するアップリンク許可を受信すること
をさらに備える、請求項１７に記載の方法。
【請求項２１】
送信されるべきデータが、前記アップリンクリソースの前記競合ベースサブセットを使用する送信に関するデータのしきい値量を超えるとき、前記ＢＳＲが送信される、請求項１７に記載の方法。
【請求項２２】
前記ＢＳＲの前記送信に応答する、前記アップリンクリソースの前記許可ベースサブセットのうちの１つまたは複数のリソースを割り振るアップリンク許可を受信すること
をさらに備える、請求項１７に記載の方法。
【請求項２３】
プロセッサと、
前記プロセッサと電子通信しているメモリと、
前記メモリに記憶された命令と、
を備え、前記命令は、
アップリンクリソースのセットを使用して送信されるべきデータを識別することと、
前記アップリンクリソースの競合ベースサブセットを使用してまたは前記アップリンクリソースの許可ベースサブセットを使用して、前記データが送信されるべきであると決定することと、
前記アップリンクリソースの前記競合ベースサブセットまたは前記アップリンクリソースの前記許可ベースサブセットを使用して、前記データを送信することと、
を行うために前記プロセッサによって実行可能である、
ワイヤレス通信のための装置。
【請求項２４】
アップリンクリソースのセットを使用して送信されるべきデータを識別するための手段と、
前記アップリンクリソースの競合ベースサブセットを使用してまたは前記アップリンクリソースの許可ベースサブセットを使用して、前記データが送信されるべきであると決定するための手段と、
前記アップリンクリソースの前記競合ベースサブセットまたは前記アップリンクリソースの前記許可ベースサブセットを使用して、前記データを送信するための手段と、
を備える、ワイヤレス通信のための装置。
【請求項２５】
アップリンク制御チャネルを使用してスケジューリング要求（ＳＲ）を送信するための手段、ここにおいて、前記ＳＲを送信するための前記手段が、アップリンクリソースの前記許可ベースサブセットを使用して前記データが受信されるべきであるという決定に少なくとも部分的に基づいて動作可能である、と、
前記データを送信するために、前記アップリンクリソースの前記許可ベースサブセットを割り振るアップリンク許可を受信するための手段と、
をさらに備える、請求項２４に記載の装置。
【請求項２６】
前記アップリンクリソースの前記競合ベースサブセットのうちの１つまたは複数のリソースを識別するための手段、ここにおいて、前記１つまたは複数のリソースを識別するための前記手段は、前記アップリンクリソースの前記競合ベースサブセットを使用して前記データが送信されるべきであるという決定に少なくとも部分的に基づいて動作可能である、と、
前記アップリンクリソースの前記競合ベースサブセットのうちの１つまたは複数の識別されたリソースを使用して、前記データを自律的に送信するための手段と、
をさらに備える、請求項２４に記載の装置。
【請求項２７】
スケジューリング要求（ＳＲ）が送信されてからの経過時間がしきい値を超えると決定するための手段と、
前記アップリンクリソースの前記競合ベースサブセットを使用して前記データを送信することを決定するための手段、ここにおいて、前記データを送信することを決定するための前記手段は、前記経過時間が前記しきい値を超えるという決定に少なくとも部分的に基づいて動作可能である、と、
をさらに備える、請求項２６に記載の装置。
【請求項２８】
前記アップリンクリソースの前記競合ベースサブセットが、同時スケジューリング要求（ＳＲ）をサポートすると決定するための手段と、
前記アップリンクリソースの前記競合ベースサブセットを使用して、前記データと同時に前記ＳＲを送信するための手段と、
をさらに備える、請求項２６に記載の装置。
【請求項２９】
前記アップリンクリソースの前記競合ベースサブセットを使用してバッファステータス報告（ＢＳＲ）が送信されるべきであると決定するための手段と、
前記アップリンクリソースの前記競合ベースサブセットを使用して、前記ＢＳＲを自律的に送信するための手段と、
をさらに備える、請求項２６に記載の装置。
【請求項３０】
ワイヤレス通信のためのコンピュータ実行可能コードを記憶する非一時的コンピュータ可読媒体であって、前記コードは、
アップリンクリソースのセットを使用して送信されるべきデータを識別することと、
前記アップリンクリソースの競合ベースサブセットを使用してまたは前記アップリンクリソースの許可ベースサブセットを使用して、前記データが送信されるべきであると決定することと、
前記アップリンクリソースの前記競合ベースサブセットまたは前記アップリンクリソースの前記許可ベースサブセットを使用して、前記データを送信することと、
を行うために実行可能な命令を備える、非一時的コンピュータ可読媒体。
【発明の詳細な説明】
【技術分野】
【０００１】
相互参照
[0001]本特許出願は、本出願の譲受人に譲渡され、参照により本明細書に明確に組み込まれる、２０１５年９月１６日に出願された、「Contention Based Uplink Transmissions for Latency Reduction」と題する、Ｄａｂｅｅｒらによる米国特許出願第１４／８５６，３７４号、２０１４年１０月２日に出願された、「Contention Based Uplink Transmissions for Latency Reduction」と題する、Ｄａｂｅｅｒらによる米国仮特許出願第６２／０５８，８１５号、および２０１４年１０月２日に出願された、「Contention Based Uplink Transmissions for Latency Reduction」と題する、Ｄａｂｅｅｒらによる米国仮特許出願第６２／０５８，７９８号の優先権を主張する。
【０００２】
[0002]本開示は、たとえば、ワイヤレス通信システムに関し、より詳細には、レイテンシ低減のための競合ベースアップリンク送信に関する。
【背景技術】
【０００３】
[0003]ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース（たとえば、時間、周波数、および出力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
【０００４】
[0004]例として、ワイヤレス多元接続通信システムは、各々が、場合によってはユーザ機器（ＵＥ）として知られる、複数の通信デバイスのための通信を同時にサポートする、いくつかの基地局を含み得る。基地局は、（たとえば、基地局からＵＥへの送信のために）ダウンリンクチャネル上でＵＥと通信し、（たとえば、ＵＥから基地局への送信のために）アップリンクチャネル上でＵＥと通信し得る。
【０００５】
[0005]いくつかの事例では、基地局が、モバイルデバイスがアップリンクデータを送信するために後続の送信時間間隔において使用し得るアップリンクリソースをモバイルデバイスに許可することとなる、確立されたスケジューリング要求プロシージャを通して、モバイルデバイスと基地局との間の送信が始められる。しかしながら、いくつかのシナリオでは、データ送信のためにアップリンクリソースが必要とされることを示す情報を送信し、その後アップリンクリソースの許可を受信することに関連する全体的遅延は、ワイヤレス通信におけるいくらかの非効率の原因となり得る。
【発明の概要】
【０００６】
[0006]説明する特徴は、一般に、ワイヤレス通信システム内でのアップリンク通信を始めるための１つまたは複数の改善されたシステム、方法、および／またはデバイスに関する。いくつかの例では、競合ベースアップリンク送信技法が、データを基地局に自律的に送信する能力をユーザ機器（ＵＥ）に与え、それにより、アップリンクリソースをＵＥに割り振るための確立されたプロシージャに関する遅延を低減し得る。いくつかの例では、基地局が、利用可能なアップリンクリソースのセットから競合ベースアップリンクリソースを割り振り得る。ＵＥが、競合ベースアップリンクリソースを使用してデータが送信されるべきであると決定し、基地局によって割り振られた利用可能な競合ベースリソースを識別し得、割り振られた競合ベースリソースを使用してデータを自律的に送信し得る。競合ベースアップリンクリソースは、利用可能な物理アップリンク共有チャネル（ＰＵＳＣＨ）リソースのサブセットを含み得、いくつかの例では、競合ベースＰＵＳＣＨ（ＣＢ−ＰＵＳＣＨ：contention-based PUSCH）リソースは、割り振られたビンを含み得、ＵＥが、アップリンクデータの送信のためにビンのうちの１つからＣＢ−ＰＵＳＣＨリソースを選択し得る。いくつかの例では、基地局が、たとえば、アップリンクリソースの輻輳に基づいてＣＢ−ＰＵＳＣＨリソースを再割り振りし得る。
【０００７】
[0007]ワイヤレス通信の方法について説明する。本方法は、アップリンクリソースのセットを使用して送信されるべきデータを識別することと、アップリンクリソースの競合ベースサブセット（contention-based subset）を使用してまたはアップリンクリソースの許可ベースサブセット（grant-based subset）を使用して、データが送信されるべきであると決定することとを含み得る。本方法は、アップリンクリソースの競合ベースサブセットまたはアップリンクリソースの許可ベースサブセットを使用してデータを送信することをも含み得る。
【０００８】
[0008]ワイヤレス通信のための装置について説明する。本装置は、アップリンクリソースのセットを使用して送信されるべきデータを識別するための手段と、アップリンクリソースの競合ベースサブセットを使用してまたはアップリンクリソースの許可ベースサブセットを使用して、データが送信されるべきであると決定するための手段とを含み得る。本装置は、アップリンクリソースの競合ベースサブセットまたはアップリンクリソースの許可ベースサブセットを使用してデータを送信するための手段をも含み得る。
【０００９】
[0009]さらなる装置について説明する。本装置は、プロセッサと、プロセッサと電子通信しているメモリと、メモリに記憶された命令とを含み得る。命令は、プロセッサに、アップリンクリソースのセットを使用して送信されるべきデータを識別することと、アップリンクリソースの競合ベースサブセットを使用してまたはアップリンクリソースの許可ベースサブセットを使用して、データが送信されるべきであると決定することとを行わせるために動作可能であり得る。命令はまた、プロセッサに、アップリンクリソースの競合ベースサブセットまたはアップリンクリソースの許可ベースサブセットを使用してデータを送信させ得る。
【００１０】
[0010]ワイヤレス通信のための非一時的コンピュータ可読媒体について説明する。本非一時的コンピュータ可読媒体は、アップリンクリソースのセットを使用して送信されるべきデータを識別することと、アップリンクリソースの競合ベースサブセットを使用してまたはアップリンクリソースの許可ベースサブセットを使用して、データが送信されるべきであると決定することとを行うために実行可能な命令を含み得る。命令はまた、アップリンクリソースの競合ベースサブセットまたはアップリンクリソースの許可ベースサブセットを使用してデータを送信するために実行可能であり得る。
【００１１】
[0011]上記で説明した方法、装置、または非一時的コンピュータ可読媒体のいくつかの例は、アップリンクリソースの許可ベースサブセットを使用してデータが送信されるべきであると決定することに基づいて、アップリンク制御チャネルを使用してスケジューリング要求（ＳＲ）を送信するためのプロセス、特徴、手段、または命令をさらに含み得る。上記で説明した方法、装置、または非一時的コンピュータ可読媒体のいくつかの例は、データを送信するために、アップリンクリソースの許可ベースサブセットを割り振るアップリンク許可を受信するためのプロセス、特徴、手段、または命令をさらに含み得る。
【００１２】
[0012] 上記で説明した方法、装置、または非一時的コンピュータ可読媒体のいくつかの例は、アップリンクリソースの競合ベースサブセットを使用してデータが送信されるべきであると決定することに基づいて、アップリンクリソースの競合ベースサブセットのうちの１つまたは複数のリソースを識別するためのプロセス、特徴、手段、または命令をさらに含み得る。上記で説明した方法、装置、または非一時的コンピュータ可読媒体のいくつかの例は、アップリンクリソースの競合ベースサブセットのうちの識別された１つまたは複数のリソースを使用して、データを自律的に送信するためのプロセス、特徴、手段、または命令をさらに含み得る。
【００１３】
[0013]上記で説明した方法、装置、または非一時的コンピュータ可読媒体のいくつかの例は、アップリンクリソースの競合ベースサブセットに基づいて、データを送信するための変調およびコーディング方式（ＭＣＳ）を決定するためのプロセス、特徴、手段、または命令をさらに含み得る。上記で説明した方法、装置、または非一時的コンピュータ可読媒体の他の例は、アップリンクリソースの競合ベースサブセットに基づいて、データを送信するための利用可能な送信電力のセットから送信電力を決定するためのプロセス、特徴、手段、または命令をさらに含み得る。
【００１４】
[0014]上記で説明した方法、装置、または非一時的コンピュータ可読媒体のいくつかの例では、アップリンクリソースの競合ベースサブセットを使用してデータが送信されるべきであると決定することは、スケジューリング要求（ＳＲ）が送信されてからの経過時間がしきい値を超えると決定することを含む。上記で説明した方法、装置、または非一時的コンピュータ可読媒体のいくつかの例は、経過時間がしきい値を超えると決定することに基づいて、アップリンクリソースの競合ベースサブセットを使用してデータを送信することを決定するためのプロセス、特徴、手段、または命令をさらに含み得る。
【００１５】
[0015]上記で説明した方法、装置、または非一時的コンピュータ可読媒体のいくつかの例は、アップリンクリソースの競合ベースサブセットが、データに関連する同時スケジューリング要求（ＳＲ）をサポートすると決定するためのプロセス、特徴、手段、または命令をさらに含み得る。上記で説明した方法、装置、または非一時的コンピュータ可読媒体のいくつかの例は、アップリンクリソースの競合ベースサブセットを使用して、データと同時にＳＲを送信するためのプロセス、特徴、手段、または命令をさらに含み得る。
【００１６】
[0016]上記で説明した方法、装置、または非一時的コンピュータ可読媒体のいくつかの例では、アップリンクリソースの競合ベースサブセットのうちの１つまたは複数のリソースを識別することが、競合ベースアップリンク送信のための１つまたは複数の割り振られたビンを識別することを含む。上記で説明した方法、装置、または非一時的コンピュータ可読媒体のいくつかの例は、データを送信するために１つまたは複数の割り振られたビンのうちのビンを選択するためのプロセス、特徴、手段、または命令をさらに含み得る。
【００１７】
[0017]上記で説明した方法、装置、または非一時的コンピュータ可読媒体のいくつかの例では、１つまたは複数の割り振られたビンのうちのビンを選択することが、割り振られたビンのセットからビンをランダムに選択することを含む。上記で説明した方法、装置、または非一時的コンピュータ可読媒体の他の例では、１つまたは複数の割り振られたビンのうちのビンを選択することが、送信されるべきデータの１つまたは複数の特性を識別することを含む。上記で説明した方法、装置、または非一時的コンピュータ可読媒体のいくつかの例は、１つまたは複数の特性に基づいて、ビンを選択するためのプロセス、特徴、手段、または命令をさらに含み得る。
【００１８】
[0018]上記で説明した方法、装置、または非一時的コンピュータ可読媒体のいくつかの例では、１つまたは複数の特性は、送信されるべきデータの量、送信されるべきデータに関連するトラフィックのタイプ、または送信されるべきデータのソースのうちの少なくとも１つ、あるいはそれらの任意の組合せを備える。
【００１９】
[0019]上記で説明した方法、装置、または非一時的コンピュータ可読媒体のいくつかの例は、１つまたは複数の割り振られたビンを示すシグナリングを受信するためのプロセス、特徴、手段、または命令をさらに含み得、ここで、シグナリングは、ＲＲＣシグナリング、システム情報ブロック（ＳＩＢ）、または物理ダウンリンク制御チャネル（ＰＤＣＣＨ）シグナリングのうちの少なくとも１つ、あるいはそれらの任意の組合せを備える。
【００２０】
[0020]上記で説明した方法、装置、または非一時的コンピュータ可読媒体のいくつかの例は、無線ネットワーク一時識別子（ＲＮＴＩ）のセットを受信するためのプロセス、特徴、手段、または命令をさらに含み得る。上記で説明した方法、装置、または非一時的コンピュータ可読媒体のいくつかの例は、物理ダウンリンク制御チャネル（ＰＤＣＣＨ）を監視するために使用されるべきＲＮＴＩのセットからのＲＮＴＩを決定するためのプロセス、特徴、手段、または命令をさらに含み得る。上記で説明した方法、装置、または非一時的コンピュータ可読媒体のいくつかの例は、決定されたＲＮＴＩについてＰＤＣＣＨを監視するためのプロセス、特徴、手段、または命令をさらに含み得る。場合によって、監視することに基づいて、アップリンクリソースの競合ベースサブセットのうちの１つまたは複数のリソースが識別される。
【００２１】
[0021]上記で説明した方法、装置、または非一時的コンピュータ可読媒体のいくつかの例では、データは、データペイロード、データを送信するデバイスの識別情報、または送信されるべきであるデータの量を示すバッファステータス報告のうちの少なくとも１つ、あるいはそれらの任意の組合せを備える。場合によっては、データは、送信されるべきデータの量を示すバッファステータス報告（ＢＳＲ）と、ＢＳＲを送信するデバイスの識別子とを備える。
【００２２】
[0022]上記で説明した方法、装置、または非一時的コンピュータ可読媒体のいくつかの例は、アップリンクリソースの競合ベースサブセットを使用してデータを送信したことに応答して、否定応答メッセージが受信される、または肯定応答メッセージが受信されないと決定するためのプロセス、特徴、手段、または命令をさらに含み得る。上記で説明した方法、装置、または非一時的コンピュータ可読媒体のいくつかの例は、否定応答メッセージが受信される、または肯定応答メッセージが受信されないと決定することに基づいて、データに関連するスケジューリング要求を送信するためのプロセス、特徴、手段、または命令をさらに含み得る。
【００２３】
[0023]上記で説明した方法、装置、または非一時的コンピュータ可読媒体のいくつかの例は、アップリンクリソースの競合ベースサブセットを使用してバッファステータス報告（ＢＳＲ）が送信されるべきであると決定するためのプロセス、特徴、手段、または命令をさらに含み得る。上記で説明した方法、装置、または非一時的コンピュータ可読媒体のいくつかの例は、アップリンクリソースの競合ベースサブセットを使用して、ＢＳＲを自律的に送信するためのプロセス、特徴、手段、または命令をさらに含み得る。場合によっては、アップリンクリソースの競合ベースサブセット内の識別されたＢＳＲリソースを使用してＢＳＲが送信される。いくつかの例では、識別されたＢＳＲリソースは、アップリンクリソースの競合ベースサブセットのうちの１つのリソースブロック上の１つの符号分割多重化（ＣＤＭ）コードを備える。
【００２４】
[0024]上記で説明した方法、装置、または非一時的コンピュータ可読媒体のいくつかの例は、アップリンクリソースの競合ベースサブセットを使用するデータの送信の不成功に基づいて、ＢＳＲ送信に応答するアップリンク許可を受信するためのプロセス、特徴、手段、または命令をさらに含み得る。上記で説明した方法、装置、または非一時的コンピュータ可読媒体のいくつかの例は、ＢＳＲの送信に応答する、アップリンクリソースの許可ベースサブセットのうちの１つまたは複数のリソースを割り振るアップリンク許可を受信するためのプロセス、特徴、手段、または命令をさらに含み得る。上記で説明した方法、装置、または非一時的コンピュータ可読媒体のいくつかの例では、送信されるべきデータが、アップリンクリソースの競合ベースサブセットを使用する送信に関するデータのしきい値量を超えるとき、ＢＳＲが送信される。
【００２５】
[0025]本発明の性質および利点のさらなる理解は、以下の図面を参照して実現され得る。添付の図では、同様の構成要素または特徴は同じ参照ラベルを有し得る。さらに、同じタイプの様々な構成要素は、参照ラベルの後に、ダッシュと、それらの同様の構成要素の間で区別する第２のラベルとを続けることによって区別され得る。第１の参照ラベルのみが本明細書において使用される場合、説明は、第２の参照ラベルにかかわらず、同じ第１の参照ラベルを有する同様の構成要素のいずれにも適用可能である。
【図面の簡単な説明】
【００２６】
【図１】[0026]本開示の様々な態様による、ワイヤレス通信システムのブロック図。
【図２】[0027]本開示の一態様による、ワイヤレス通信システムにおいて使用され得るアップリンクフレーム構造の一例を示す図。
【図３】[0028]本開示の一態様による、ワイヤレス通信システムのアップリンクリソースの一例を概念的に示すブロック図。
【図４】[0029]本開示の一態様による、ワイヤレス通信システムのアップリンクリソースの別の例を概念的に示すブロック図。
【図５】[0030]本開示の一態様による、ワイヤレス通信システムのアップリンクリソースの別の例を概念的に示すブロック図。
【図６】[0031]本開示の一態様による、ワイヤレス通信システムのアップリンクリソースの別の例を概念的に示すブロック図。
【図７】[0032]本開示の様々な態様による、ワイヤレス通信において使用するために構成されたデバイスのブロック図。
【図８】[0033]本開示の様々な態様による、ワイヤレス通信において使用するために構成されたデバイスのブロック図。
【図９】[0034]本開示の様々な態様による、ワイヤレス通信システムのブロック図。
【図１０】[0035]本開示の様々な態様による、ワイヤレス通信において使用するための装置のブロック図。
【図１１】[0036]本開示の様々な態様による、ワイヤレス通信において使用するための装置のブロック図。
【図１２】[0037]本開示の様々な態様による、ワイヤレス通信において使用するための基地局（たとえば、ｅＮＢの一部または全部を形成する基地局）のブロック図。
【図１３】[0038]本開示の様々な態様による、多入力／多出力通信システムのブロック図。
【図１４】[0039]本開示の様々な態様による、ワイヤレス通信のための方法の一例を示すフローチャート。
【図１５】[0040]本開示の様々な態様による、ワイヤレス通信のための別の方法の一例を示すフローチャート。
【図１６】[0041]本開示の様々な態様による、ワイヤレス通信のための別の方法の一例を示すフローチャート。
【発明を実施するための形態】
【００２７】
[0042]ワイヤレス通信システム内でのアップリンク通信を送信するための技法について説明する。確立されたロングタームエボリューション（ＬＴＥ（登録商標））プロトコルなど、いくつかの確立されたワイヤレス通信プロトコルによれば、ユーザ機器（ＵＥ）が、新しいデータパケットが送信されるべきであり、現在のアップリンク許可が利用可能でないと決定したとき、通常のバッファステータス報告（ＢＳＲ）がトリガされ、次の利用可能な物理アップリンク制御チャネル（ＰＵＣＣＨ）機会に（または、ＰＵＣＣＨリソースが構成されない場合は、ランダムアクセスチャネル（ＲＡＣＨ）アクセスプロシージャを使用して）スケジューリング要求（ＳＲ）が送られる。基地局は次いで、アップリンク許可を送り、アップリンク許可において指定されたリソースブロック（ＲＢ）を使用してＵＥによってデータが送信される。上述のように、そのようなプロシージャは、いくつかの状況では望ましくないことがある遅延をもたらし得る。いくつかの例では、ＵＥにおけるパケットの受信から、基地局においてパケットが復号されるまでの最良の場合の遅延が、約１２ｍｓ（または１２個の送信時間間隔（ＴＴＩ））であり得る。本開示のいくつかの態様は、データを基地局に自律的に送信する能力をＵＥに与え得る、競合ベースアップリンク送信技法を提供し、それにより、データの送信における遅延を低減する。
【００２８】
[0043]いくつかの例では、基地局が、利用可能なアップリンクリソースのセットから競合ベースアップリンクリソースを割り振り得る。ＵＥが、競合ベースアップリンクリソースを使用してデータが送信されるべきであると決定し、基地局によって割り振られた利用可能な競合ベースリソースを識別し得、割り振られた競合ベースリソースを使用してデータを自律的に送信し得る。競合ベースアップリンクリソースは、利用可能な物理アップリンク共有チャネル（ＰＵＳＣＨ）リソースのサブセットを含み得、いくつかの例では、競合ベースＰＵＳＣＨ（ＣＢ−ＰＵＳＣＨ）リソースは、ＣＢ−ＰＵＳＣＨリソースの割り振られたビンを含み得る。ＵＥが、アップリンクデータの送信のためにビンのうちの１つからＣＢ−ＰＵＳＣＨリソースを選択し得る。いくつかの例では、基地局が、たとえば、アップリンクリソースの輻輳に基づいてＣＢ−ＰＵＳＣＨリソースを再割り振りし得る。
【００２９】
[0044]いくつかの例では、ＵＥが、送信されるべきデータの量が、利用可能なＣＢ−ＰＵＳＣＨリソースを使用して送信され得ると決定し得る。そのような決定は、たとえば、送信されるべきデータのタイプおよび／または送信されるべきデータの量に従って行われ得る。ＣＢ−ＰＵＳＣＨリソースが識別され得、ＵＥは、データを基地局に自律的に送信し、したがって、データの送信のためのアップリンクリソースの割振りを受信するために従来のスケジューリング要求を使用することに関係したデータを送信することに関連する遅延を低減し得る。いくつかの例では、ＵＥが、送信されるべきデータが、ＣＢ−ＰＵＳＣＨリソースを使用して送信されないことがあると決定し得、ＵＥは、確立されたスケジューリング要求技法に従ってスケジューリング要求を始め得る。さらなる例では、基地局が、ＵＥから基地局へのスケジューリング要求を始めるために使用され得るバッファステータス報告（ＢＳＲ）リソースとして、ＣＢ−ＰＵＳＣＨリソースのうちのいくつかを割り振り得る。そのような例では、ＵＥが、ＢＳＲリソースを使用してＢＳＲを送信し、ＣＢ−ＰＵＳＣＨリソースを使用するＢＳＲ送信に応答する、データを送信するための非ＣＢ−ＰＵＳＣＨリソースの割振りを受信し得る。いくつかの例では、ＵＥが、ＣＢ−ＰＵＳＣＨリソースを使用してデータを自律的に送信し、同時にスケジューリング要求を送信し得る。基地局がＣＢ−ＰＵＳＣＨリソース上のデータを正常に受信した場合、同時ＳＲは無視され得、基地局は、ＣＢ−ＰＵＳＣＨリソース上のデータが正常に受信されない場合、非ＣＢ−ＰＵＳＣＨリソースをＵＥに割り振り得る。
【００３０】
[0045]以下の説明は、例を与えるものであり、特許請求の範囲に記載された範囲、適用可能性、または例を限定するものではない。本開示の範囲から逸脱することなく、説明する要素の機能および構成において変更が行われ得る。様々な例は、適宜に様々なプロシージャまたは構成要素を省略、置換、または追加し得る。たとえば、説明する方法は、説明する順序とは異なる順序で実行され得、様々なステップが追加、省略、または組み合わせられ得る。また、いくつかの例に関して説明する特徴は、他の例において組み合わせられ得る。
【００３１】
[0046]図１に、本開示の様々な態様による、ワイヤレス通信システム１００の一例を示す。ワイヤレス通信システム１００は、基地局１０５と、ＵＥ１１５と、コアネットワーク１３０とを含む。コアネットワーク１３０は、ユーザ認証と、アクセス許可と、トラッキングと、インターネットプロトコル（ＩＰ）接続性と、他のアクセス、ルーティング、またはモビリティ機能とを与え得る。基地局１０５は、バックホールリンク１３２（たとえば、Ｓ１など）を通してコアネットワーク１３０とインターフェースし、ＵＥ１１５との通信のための無線構成およびスケジューリングを実行し得るか、または基地局コントローラ（図示せず）の制御下で動作し得る。様々な例では、基地局１０５は、バックホールリンク１３４（たとえば、Ｘ１など）を介して互いと直接または間接的に（たとえば、コアネットワーク１３０を通して）通信し得、それは、ワイヤードまたはワイヤレス通信リンクであり得る。
【００３２】
[0047]基地局１０５は、１つまたは複数の基地局アンテナを介してＵＥ１１５とワイヤレス通信し得る。基地局１０５のサイトの各々は、それぞれの地理的カバレージエリア１１０に通信カバレージを与え得る。いくつかの例では、基地局１０５は、基地トランシーバ局、無線基地局、アクセスポイント、無線トランシーバ、ノードＢ、ｅノードＢ（ｅＮＢ）、ホームノードＢ、ホームｅノードＢ、または何らかの他の好適な用語で呼ばれることがある。基地局１０５のための地理的カバレージエリア１１０は、カバレージエリアの一部分のみを構成するセクタに分割され得る（図示せず）。ワイヤレス通信システム１００は、異なるタイプの基地局１０５（たとえば、マクロ基地局および／またはスモールセル基地局）を含み得る。異なる技術のための重複する地理的カバレージエリア１１０があり得る。
【００３３】
[0048]いくつかの例では、ワイヤレス通信システム１００の少なくとも一部分が、ＣＢ−ＰＵＳＣＨアップリンク送信を使用して動作するように構成され得、そこにおいて、ＵＥ１１５のうちの１つまたは複数および基地局１０５のうちの１つまたは複数が、（１つまたは複数の）ＵＥ１１５によって自律的に送信されたアップリンク送信をサポートするように構成され得る。基地局１０５は、いくつかのＣＢ−ＰＵＳＣＨリソースを構成し、割り振られたＣＢ−ＰＵＳＣＨリソースを示すためにシグナリング（たとえば、ＲＲＣシグナリング、システム情報ブロック（ＳＩＢ）中のシグナリング、またはＰＤＣＣＨシグナリング）をＵＥ１１５に送信し得る。ＵＥ１１５は、ＣＢ−ＰＵＳＣＨリソースを使用してデータが送信され得ると決定すると、ＣＢ−ＰＵＳＣＨリソースを使用して、データを自律的に送信し、それにより、データの送信についてのスケジューリング要求に関連する遅延に対して低減された量の遅延でデータを送信し得る。
【００３４】
[0049]いくつかの例では、ワイヤレス通信システム１００はＬＴＥ／ＬＴＥ−Ａネットワークである。ＬＴＥ／ＬＴＥ−Ａネットワークでは、発展型ノードＢ（ｅＮＢ）という用語は、概して、基地局１０５を表すために使用され得、ＵＥという用語は、概して、ＵＥ１１５を表すために使用され得る。ワイヤレス通信システム１００は、異なるタイプのｅＮＢが様々な地理的領域にカバレージを与える、異種ＬＴＥ／ＬＴＥ−Ａネットワークであり得る。たとえば、各ｅＮＢまたは基地局１０５は、マクロセル、スモールセル、および／または他のタイプのセルに通信カバレージを与え得る。「セル」という用語は、コンテキストに応じて、基地局、基地局に関連するキャリアまたはコンポーネントキャリア、あるいはキャリアまたは基地局のカバレージエリア（たとえば、セクタなど）を表すために使用され得る３ＧＰＰ（登録商標）用語である。
【００３５】
[0050]マクロセルは、概して、比較的大きい地理的エリア（たとえば、半径数キロメートル）をカバーし、ネットワークプロバイダのサービスに加入しているＵＥによる無制限アクセスを可能にし得る。スモールセルは、マクロセルと比較して、マクロセルと同じまたは異なる（たとえば、認可、無認可などの）周波数帯域内で動作し得る、低電力基地局である。スモールセルは、様々な例によれば、ピコセルとフェムトセルとマイクロセルとを含み得る。ピコセルは、比較的小さい地理的エリアをカバーし得、ネットワークプロバイダのサービスに加入しているＵＥによる無制限アクセスを可能にし得る。フェムトセルは、比較的小さい地理的エリア（たとえば、自宅）を同じくカバーし得、フェムトセルとの関連を有するＵＥ（たとえば、限定加入者グループ（ＣＳＧ：closed subscriber group）中のＵＥ、自宅内のユーザのためのＵＥなど）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢまたはホームｅＮＢと呼ばれることがある。ｅＮＢは、１つまたは複数の（たとえば、２つ、３つ、４つなどの）セル（たとえば、コンポーネントキャリア）をサポートし得る。
【００３６】
[0051]ワイヤレス通信システム１００は同期動作または非同期動作をサポートし得る。同期動作の場合、複数の基地局は同様のフレームタイミングを有し得、異なる基地局からの送信は近似的に時間的に整合され得る。非同期動作の場合、複数の基地局は異なるフレームタイミングを有し得、異なる基地局からの送信は時間的に整合されないことがある。本明細書で説明する技法は、同期動作または非同期動作のいずれかのために使用され得る。
【００３７】
[0052]様々な開示する例のうちのいくつかに適応し得る通信ネットワークは、階層化プロトコルスタックに従って動作するパケットベースネットワークであり得る。ユーザプレーンでは、ベアラまたはパケットデータコンバージェンスプロトコル（ＰＤＣＰ：Packet Data Convergence Protocol）レイヤにおける通信はＩＰベースであり得る。無線リンク制御（ＲＬＣ：Radio Link Control）レイヤが、論理チャネルを介して通信するためにパケットセグメンテーションおよびリアセンブリを実行し得る。媒体アクセス制御（ＭＡＣ：Medium Access Control）レイヤが、優先度ハンドリングと、トランスポートチャネルへの論理チャネルの多重化とを実行し得る。ＭＡＣレイヤはまた、リンク効率を改善するためにＭＡＣレイヤにおいて再送信を行うためにハイブリッドＡＲＱ（ＨＡＲＱ）を使用し得る。制御プレーンでは、無線リソース制御（ＲＲＣ：Radio Resource Control）プロトコルレイヤが、ユーザプレーンデータのための無線ベアラをサポートする、ＵＥ１１５と基地局１０５またはコアネットワーク１３０との間のＲＲＣ接続の確立と構成と保守とを行い得る。物理（ＰＨＹ）レイヤにおいて、トランスポートチャネルは物理チャネルにマッピングされ得る。
【００３８】
[0053]ＵＥ１１５はワイヤレス通信システム１００全体にわたって分散され、各ＵＥ１１５は固定または移動であり得る。ＵＥ１１５は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語を含むか、またはそのように当業者によって呼ばれ得る。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、スモールセルｅＮＢ、リレー基地局などを含む、様々なタイプの基地局およびネットワーク機器と通信することが可能であり得る。
【００３９】
[0054]ワイヤレス通信システム１００に示されている通信リンク１２５は、ＵＥ１１５から基地局１０５へのアップリンク（ＵＬ）送信、および／または基地局１０５からＵＥ１１５へのダウンリンク（ＤＬ）送信を含み得る。ダウンリンク送信は順方向リンク送信と呼ばれることもあり、アップリンク送信は逆方向リンク送信と呼ばれることもある。各通信リンク１２５は１つまたは複数のキャリアを含み得、ここで、各キャリアは、上記で説明した様々な無線技術に従って変調された複数のサブキャリア（たとえば、異なる周波数の波形信号）からなる信号であり得る。各被変調信号は、異なるサブキャリア上で送られ得、制御情報（たとえば、基準信号、制御チャネルなど）、オーバーヘッド情報、ユーザデータなどを搬送し得る。通信リンク１２５は、（たとえば、対スペクトルリソースを使用する）ＦＤＤ動作または（たとえば、不対スペクトルリソースを使用する）ＴＤＤ動作を使用して、双方向通信を送信し得る。ＦＤＤのためのフレーム構造（たとえば、フレーム構造タイプ１）とＴＤＤのためのフレーム構造（たとえば、フレーム構造タイプ２）とが定義され得る。
【００４０】
[0055]システム１００のいくつかの実施形態では、基地局１０５および／またはＵＥ１１５は、基地局１０５とＵＥ１１５との間の通信品質と信頼性とを改善するために、アンテナダイバーシティ方式を採用するために複数のアンテナを含み得る。追加または代替として、基地局１０５および／またはＵＥ１１５は、同じまたは異なるコード化データを搬送する複数の空間レイヤを送信するために、マルチパス環境を利用し得る多入力多出力（ＭＩＭＯ）技法を採用し得る。
【００４１】
[0056]ワイヤレス通信システム１００は、複数のセルまたはキャリア上での動作、すなわち、キャリアアグリゲーション（ＣＡ）またはマルチキャリア動作と呼ばれ得る特徴をサポートし得る。キャリアは、コンポーネントキャリア（ＣＣ）、レイヤ、チャネルなどと呼ばれることもある。「キャリア」、「コンポーネントキャリア」、「セル」、および「チャネル」という用語は、本明細書では互換的に使用され得る。ＵＥ１１５は、キャリアアグリゲーションのために、複数のダウンリンクＣＣと１つまたは複数のアップリンクＣＣとで構成され得る。キャリアアグリゲーションは、ＦＤＤコンポーネントキャリアとＴＤＤコンポーネントキャリアの両方とともに使用され得る。
【００４２】
[0057]図２は、図１を参照しながら上記で説明したワイヤレス通信システム１００を含む、ワイヤレス通信システムにおいて使用され得るアップリンクフレーム構造２００の一例を示す図である。たとえば、アップリンクフレーム構造２００はＬＴＥ／ＬＴＥ−Ａまたは同様のシステムにおいて使用され得る。フレーム２１０（１０ｍｓ）は、１０個の等しいサイズのサブフレーム（たとえば、サブフレーム２２５、２３０など）に分割され得る。いくつかの例では、フレーム２１０は、基地局（たとえば、図１の基地局１０５）へのもう１つのＵＥ（たとえば、図１のＵＥ１１５）によるＰＵＳＣＨ送信のために使用され得る。フレーム２１０内では、アップリンク送信のために１つまたは複数のサブフレームが使用され得る。ＬＴＥ／ＬＥＴ−Ａまたは同様のシステムを使用する例では、各サブフレームは、２つの連続するタイムスロット２６２および２６４を含み得る。シングルキャリア周波数分割多元接続（ＳＣ−ＦＤＭＡ）コンポーネントキャリア２５０が、２つの連続するタイムスロット２６２、２６４を表すリソースグリッドとして示され得、各タイムスロットは、ノーマルサイクリックプレフィックスについて７つのＳＣ−ＦＤＭＡシンボル２６６を含む。リソースグリッドは複数のリソース要素２５２に分割され得る。いくつかの例では、たとえば、ＣＢ−ＰＵＳＣＨ  ＲＢ２５６を含み得るいくつかのリソースブロック（ＲＢ）など、１つまたは複数のサブフレーム内のいくつかのリソースが、ＣＢ−ＰＵＳＣＨ送信のために割り振られ得る。ＣＢ−ＰＵＳＣＨ  ＲＢ２５６は、周波数領域中に１２個の連続するサブキャリア２６８、および各ＳＣ−ＦＤＭＡシンボル２６６におけるノーマルサイクリックプレフィックスについて、時間領域中に７つの連続するＳＣ−ＦＤＭＡシンボル２６６、すなわち８４個のリソース要素２５２を含み得るＬＴＥ／ＬＴＥ−Ａ  ＲＢであり得る。サブキャリア２６８のためのトーン間隔は１５ｋＨｚであり得、ＳＣ−ＦＤＭＡシンボル２６６のための有用なシンボル持続時間は６６．６７μｓであり得る。
【００４３】
[0058]上記で説明したように、様々な例は、ＣＢ−ＰＵＳＣＨ  ＲＢ２５６など、競合ベースリソースを使用する、図１のワイヤレス通信システム１００など、ワイヤレス通信システムにおけるアップリンク通信を与える。図３は、本開示の一態様による、例示的なＰＵＳＣＨリソース３０５と、ワイヤレス通信システムにおけるアップリンク送信のために使用され得るＰＵＳＣＨリソース３０５内の割り振られたＣＢ−ＰＵＳＣＨリソース３１０とを概念的に示すブロック図３００である。いくつかの例では、図１の基地局１０５など、基地局が、競合ベース送信において使用するためのＣＢ−ＰＵＳＣＨリソース３１０を割り振り得、ＣＢ−ＰＵＳＣＨリソース３１０を示すシグナリングをユーザ機器（ＵＥ）に送信し得る。ＰＵＳＣＨリソース３０５は、たとえば、図２に記載されているようなアップリンクリソースを含み得、ＣＢ−ＰＵＳＣＨリソース３１０は、図２に記載されているようないくつかのＣＢ−ＰＵＳＣＨ  ＲＢ２５６を含み得る。
【００４４】
[0059]本開示のいくつかの態様によれば、ＣＢ−ＰＵＳＣＨリソース３１０の使用を求めて競合し得る複数のＵＥの間の衝突の可能性を低減するために、基地局が、１つまたは複数のＵＥによる使用のためにＣＢ−ＰＵＳＣＨリソース３１０内のいくつかのビン３１５、３２０、および３２５を割り振り得る。割り振られたビンの各々は、たとえば、ＣＢ−ＰＵＳＣＨ送信のために割り振られた、いくつかの隣接リソースブロック（たとえば、図２のＣＢ−ＰＵＳＣＨ  ＲＢ２５６）を含み得る。アップリンク送信のために割り振られたそのようなＣＢ−ＰＵＳＣＨリソース３１０を有するシステムにおいて動作するＵＥは、送信されるべきアップリンクデータを識別し得、ＣＢ−ＰＵＳＣＨリソース３１０を使用してデータが送信されるべきであると決定し、データを送信するためのＣＢ−ＰＵＳＣＨリソース３１０内のビン３１５、３２０、３２５を識別し、ＣＢ−ＰＵＳＣＨリソース３１０の識別されたビン３１５〜３２５を使用してデータを自律的に送信し得る。いくつかの例では、ＵＥは、ＣＢ−ＰＵＳＣＨリソース３１０を使用してアップリンクデータを送信すべきなのか、スケジューリング要求を送信することとデータを送信する際に使用するためのアップリンクリソースのアップリンク許可を受信することとを通じてレガシープロシージャに従ってデータを送信すべきなのかの決定を行い得る。
【００４５】
[0060]いくつかの例では、ＣＢ−ＰＵＳＣＨリソース３１０、およびビン３１５、３２０、３２５は、半永続的または半静的に、割り振られ、再割り振りされ得る。他の例では、ＣＢ−ＰＵＳＣＨリソース３１０、およびビン３１５、３２０、３２５は、ほんのいくつかの例を挙げれば、ＣＢ−ＰＵＳＣＨリソース３１０を使用して送信する可能性があるＵＥの数、ＵＥによって送信されているデータのタイプ、システムの負荷、および／またはＣＢ−ＰＵＳＣＨリソース３１０の輻輳など、いくつかのファクタに基づいて、基地局によって動的に割り振られ得る。いくつかの例では、基地局が、ＲＲＣシグナリング、システム情報ブロック（ＳＩＢ）、または物理ダウンリンク制御チャネル（ＰＤＣＣＨ）シグナリングのうちの１つまたは複数などを通して、リソース割振りを示すシグナリングをＵＥに送信し得る。
【００４６】
[0061]３つのビン３１５〜３２５が図３に示されているが、ＣＢ−ＰＵＳＣＨリソース３１０内で異なる数のビンが割り振られ得、そのような割振りは、システム状態に適応するように基地局によって調整され得る。たとえば、Ｂ個のビンが利用可能であり、ＵＥが１つをランダムに選ぶ場合、２つまたはそれ以上のＵＥからの送信における衝突の確率は、数Ｂと、ＵＥの数と、各ＵＥがＣＢ−ＰＵＳＣＨリソース３１０を使用してデータを送信することになる頻度とに依存することになる。基地局が、いくつかの衝突があると決定することに基づいて、ＣＢ−ＰＵＳＣＨリソース３１０が輻輳しつつあることを検出した場合、基地局は、ビンの数を調整し得、および／またはＣＢ−ＰＵＳＣＨ送信試みの数を低減するように１つまたは複数のＵＥにシグナリングし得る。いくつかの例では、基地局は、たとえば、各ビンを使用するように構成されたＵＥの数、衝突するユーザを示し得る各ビンについてのエネルギー測定値、または、ビン中での送信の数に対するビン中での成功した復号の時間平均のうちの１つまたは複数を含み得る、１つまたは複数のメトリックに基づいて、１つまたは複数のビンが輻輳しつつあるかまたは輻輳になる可能性があると決定し得る。
【００４７】
[0062]基地局が、１つまたは複数のビンが輻輳を受けていると決定した場合、いくつかの例では、基地局は、さらなるシグナリングをＵＥに送信し、バックオフパラメータが１つまたは複数のビンに適用されるべきであることを示し得る。バックオフパラメータは、たとえば、ビン上のそれのＣＢ−ＰＵＳＣＨ送信を分数「ａ」（０＜ａ＜１）だけ低減するようにＵＥに命令し得る。ＵＥでは、識別されたビン上でＣＢ−ＰＵＳＣＨ送信が試みられるべきであると決定し、次いで、ＵＥは、別のＣＢ−ＰＵＳＣＨビンを使用することまたは従来のＳＲ送信を使用することを選ぶことになる確率「ａ」があることになる。いずれにしても、そのようなバックオフパラメータは、識別されたビンが受ける輻輳を低減するように動作することになる。他の例では、基地局は、１つまたは複数のビンが輻輳を受けているという決定に基づいて、ＣＢ−ＰＵＳＣＨリソースを増加させること得る。たとえば、ビン３１５〜３２５のうちの１つなどの、ＣＢ−ＰＵＳＣＨビンが輻輳され、ＰＵＳＣＨ  ＲＢが十分に利用されていない場合、基地局は、１つまたは複数の追加のＣＢ−ＰＵＳＣＨビンを構成し得る。
【００４８】
[0063]ＣＢ−ＰＵＳＣＨリソース３１０を使用して送信されるデータは、様々な例によれば、ＵＥによって送信されるべきデータと、セル無線ネットワーク一時識別子（Ｃ−ＲＮＴＩ：cell radio network temporary identifier）と、バッファステータス報告（ＢＳＲ）とを含み得る。基地局が、ＣＢ−ＰＵＳＣＨリソース３１０上のＣＢ−ＰＵＳＣＨ送信を正常に受信した場合、基地局は、受信の肯定応答を送信し得る。そのような肯定応答は、たとえば、サブフレームｎ＋４中のＰＤＣＣＨ上でＵＥに送信される肯定応答など、確立された肯定応答技法に従って送信され得る。ＵＥが、追加のデータが送信される準備ができていることを示すデータをもつＢＳＲを送信する例では、基地局は、追加のデータの送信のためにＵＥにアップリンク許可を同じく送信し得る。いくつかの例では、ＵＥが、データの肯定応答が受信されるかどうかを決定し得、受信の肯定応答を受信することがない場合、ＳＲを基地局に送信し得る。そのようにすると、激しい輻輳が、基地局によって正常に受信されていない連続する送信を生じ得る場合、データを送信することに関連する総遅延が低減され得る。他の例では、ＵＥが、ＣＢ−ＰＵＳＣＨリソース３１０を使用して送信することに加えて、ＰＵＣＣＨリソースを使用して、同時ＳＲを送信し得る。いくつかの例では、基地局が、同時ＳＲおよびＣＢ−ＰＵＳＣＨ送信を可能にするために、そのような送信のためにＵＥにＰＵＣＣＨリソースを割り振り得、または、ＵＥが、ＣＢ−ＰＵＳＣＨ送信に続いて、次の利用可能なＰＵＣＣＨリソースを使用してそのようなＳＲを送信し得る。基地局が次いで、ＵＥからＣＢ−ＰＵＳＣＨ送信が受信されたと決定し得、次いで、ＣＢ−ＰＵＳＣＨ送信とＳＲとの間の経過時間がしきい値よりも小さいとき、ＵＥからのＳＲを無視し得る。
【００４９】
[0064]ＵＥは、データを送信するための、ビン３１５、３２０、または３２５などからの、ＣＢ−ＰＵＳＣＨリソース３１０からのビンの選択時に、いくつかの技法のうちの１つまたは複数に従って選択を実行し得る。たとえば、ＵＥは、いくつかの利用可能なビン３１５、３２０、３２５からビンをランダムに選択し得、および／または送信されるべきデータの特性に基づいてビンを選択し得る。いくつかの例では、ＵＥは、データの量およびデータに関連するトラフィックのタイプなど、送信されるべきデータの特性を決定し得る。いくつかの例では、ＵＥは、データの量および／またはトラフィックのタイプに基づいて、ＣＢ−ＰＵＳＣＨリソース３１０を使用すべきなのか、従来のＳＲベースリソースを使用すべきなのかを決定し得る。たとえば、データの遅延感度が高くない場合、ＵＥは、ＣＢ−ＰＵＳＣＨリソース３１０を使用してデータを送信することではなく、データの送信のためのアップリンク割振りを受信するために従来のＳＲを使用することを決定し得る。いくつかの例では、ＵＥは、あるタイプのトラフィックがビン３１５〜３２５のうちの１つまたは複数中で送信されるべきであることを示すシグナリングを基地局から受信し得る。他の例では、ビン３１５〜３２５は、異なる量の利用可能なアップリンクリソースを有し得、ＵＥが、ビン中の利用可能なリソースと、送信されるべきデータの量とに基づいてビンを選択し得る。場合によっては、２つまたはそれ以上のビンが基準を満たす場合、ＵＥは、たとえば、ビンからランダムに選択し得る。他の例では、ＵＥが、ＣＢ−ＰＵＳＣＨ送信のために使用されるべきビン３１５〜３２５を示すシグナリングを基地局から受信し得る。
【００５０】
[0065]いくつかの例では、ＣＢ−ＰＵＳＣＨリソース３１０を使用してデータを送信するための復調基準信号（ＤＭＲＳ）シーケンスが、選択されたビン３１５〜３２５に基づいて決定され得る。さらに、いくつかの例では、ＵＥが、データを送信するために使用されるべき割り振られたＣＢ−ＰＵＳＣＨリソース３１０に基づいて、データを送信するための変調およびコーディング方式（ＭＣＳ）ならびに／または送信電力を決定し得る。アップリンク送信電力は、確立されたＬＴＥアップリンク送信電力決定技法に従って決定され得るか、またはＣＢ−ＰＵＳＣＨ送信に関連するハイブリッド自動再送要求（ＨＡＲＱ）の欠如を補償するためにより高い送信電力を使用し得るという変更されたアップリンク送信電力決定に従って決定され得る。いくつかの例では、基地局は、ＵＥ送信のためのトランスポートブロックサイズ（ＴＢＳ）が、（１つまたは複数の）ビンのための割り振られたリソース内に収まり得ることを保証するために、ＣＢ−ＰＵＳＣＨビンサイズを固定し得る。いくつかの例では、基地局はまた、非ＣＢ−ＰＵＳＣＨトラフィック考慮事項に基づいてビンサイズを設定し得る。様々な例によれば、ＵＥが、ＬＴＥ規格の確立された技法に従ってＣＢ−ＰＵＳＣＨ送信のためのＴＢＳを見つけ得る。
【００５１】
[0066]いくつかの例では、基地局は、ＵＥがランダムに選択し得る送信電力値のセットを構成し得る。同じＣＢ−ＰＵＳＣＨリソースを使用する複数のＵＥからのＣＢ−ＰＵＳＣＨ送信を受信する基地局は、場合によっては、ＵＥによって使用される異なる送信電力に基づいて各ＣＢ−ＰＵＳＣＨ送信を正常に復号するために干渉消去技法を使用することが可能であり得る。いくつかの例では、上記で説明したように、基地局はまた、異なるＵＥのために異なるＭＣＳを構成し得る。したがって、複数のＵＥが、同じＣＢ−ＰＵＳＣＨビンを使用して送信する場合、基地局は、各受信された送信を復号するために、干渉消去をさらに支援するために異なるＭＣＳを使用し得る。そのような例では、基地局は、衝突しない復調基準信号（ＤＭＲＳ）を送信するように各ＵＥにシグナリングし得る。いくつかの例では、ＵＥが、たとえば、アップリンクチャネル品質インジケータ（ＣＱＩ）フィードバックに基づいて、ＭＣの決定を行い得る。いくつかの例では、干渉消去をさらに向上させるために、基地局が、複数のＵＥからの同時送信を復号するために基地局における複数の受信アンテナを使用するビームフォーミング技法を使用し得る。そのような例では、ＵＥが、単一の送信アンテナを使用して送信し得（すなわち、ランク１）、基地局は、複数のＵＥからの送信を復号するために複数の受信アンテナを使用し得る。
【００５２】
[0067]いくつかの例では、ＵＥが、アップリンクデータ送信のために非競合ベースリソースが使用されるべきであると決定し得、ＵＥは、データを送信するために、アップリンク許可を受信するためにＳＲを送信し得る。ＣＢ−ＰＵＳＣＨリソース３１０の効率的な管理を可能にするために、ＵＥは、ＳＲの送信に続くあらかじめ決定された時間期間の間、ＣＢ−ＰＵＳＣＨリソース３１０を使用してデータを送信することを禁止され得る。そのような例では、ＵＥは、ＳＲが送信されてからの経過時間を決定し、経過時間がしきい値を超える場合、ＣＢ−ＰＵＳＣＨリソース３１０を使用してデータが送信され得ると決定し得る。
【００５３】
[0068]上述のように、いくつかの例では、ＣＢ−ＰＵＳＣＨリソース３１０の動的な再構成が実行され得る。いくつかの例では、ＣＢ−ＰＵＳＣＨデータビン３１５〜３２５が、サブフレームｎのためのＭＣＳとともにサブフレームｎ−［４］中のＰＤＣＣＨ上で送信され得る。そのような例では、ＵＥが、ＰＤＣＣＨを監視し得、サブフレームｎの開始時に、サブフレームｎ＋１，．．．，ｎ＋３のためのＣＢ−ＰＵＳＣＨリソース３１０を知る。ＣＢ−ＰＵＳＣＨリソース３１０を使用して送信されるべきであるデータパケットが到着したとき、ＵＥは、次の実現可能なサブフレーム中でデータを送信することができる。他の例では、次いで、ＣＢ−ＰＵＳＣＨのために使用されるべきＲＮＴＩのセットを告知するためにＲＲＣシグナリングおよび／またはＳＩＢ送信が使用され得、ＵＥが、各サブフレームのためにセットから１つをランダムに選び、ＵＬ許可のための選定されたＲＮＴＩについてＰＤＣＣＨを監視し得る。
【００５４】
[0069]図３の例は、ＣＢ−ＰＵＳＣＨリソース３１０の固有セットを占有するいくつかのＣＢ−ＰＵＳＣＨビン３１５〜３２５を示すが、他の例では、いくつかのＣＢ−ＰＵＳＣＨビンが、重複するまたはネスト化されたＣＢ−ＰＵＳＣＨリソースを有し得る。図４は、本開示の一態様による、例示的なＰＵＳＣＨリソース３０５−ａと、ワイヤレス通信システムにおけるアップリンク送信のために使用され得るＰＵＳＣＨリソース３０５−ａ内の割り振られたＣＢ−ＰＵＳＣＨリソース３１０−ａとを概念的に示すブロック図４００である。いくつかの例では、図１の基地局１０５など、基地局が、競合ベース送信において使用するためのＣＢ−ＰＵＳＣＨリソース３１０−ａを割り振り得、ＣＢ−ＰＵＳＣＨリソース３１０−ａを示すシグナリングをユーザ機器（ＵＥ）に送信し得る。ＰＵＳＣＨリソース３０５−ａは、たとえば、図２に記載されているようなアップリンクリソースを含み得、ＣＢ−ＰＵＳＣＨリソース３１０−ａは、図２に記載されているようないくつかのＣＢ−ＰＵＳＣＨ  ＲＢ２５６を含み得る。この例では、３つのビン４１５〜４２５、すなわち、ビンＡ４１５と、ビンＢ４２０と、ビンＣ４２５とが割り振られる。この例では、ビンＢ４２０は、ビンＡ４１５のリソースブロックと重複するいくつかのリソースブロックを有する。同様に、ビンＢ４２０は、ビンＣ４２５のリソースブロックと重複するいくつかのリソースブロックを有する。ＵＥが、ＣＢ−ＰＵＳＣＨ送信のためにいずれのビン４１５〜４２５を使用すべきかを決定するとき、送信されるべきデータの量に基づいてビンを選択し得る。したがって、ＣＢ−ＰＵＳＣＨリソース３１０−ａを使用して送信されるべきデータの量に適しているリソースの量を有するビンをＵＥが選択することを通して、ＣＢ−ＰＵＳＣＨ送信のためにリソースが効率的に使用され得る。
【００５５】
[0070]同様に、基地局が、ＣＢ−ＰＵＳＣＨリソース内の１つまたは複数のビンのためのネスト化されたリソースを割り振り得る。図５は、本開示の一態様による、例示的なＰＵＳＣＨリソース３０５−ｂと、ワイヤレス通信システムにおけるアップリンク送信のために使用され得るＰＵＳＣＨリソース３０５−ｂ内の割り振られたＣＢ−ＰＵＳＣＨリソース３１０−ｂとを概念的に示すブロック図５００である。いくつかの例では、図１の基地局１０５など、基地局が、競合ベース送信において使用するためのＣＢ−ＰＵＳＣＨリソース３１０−ｂを割り振り得、ＣＢ−ＰＵＳＣＨリソース３１０−ｂを示すシグナリングをユーザ機器（ＵＥ）に送信し得る。ＰＵＳＣＨリソース３０５−ｂは、たとえば、図２に記載されているようなアップリンクリソースを含み得、ＣＢ−ＰＵＳＣＨリソース３１０−ｂは、図２に記載されているようないくつかのＣＢ−ＰＵＳＣＨ  ＲＢ２５６を含み得る。この例では、３つのビン５１５〜５２５、すなわち、ビンＡ５１５と、ビンＢ５２０と、ビンＣ５２５とが割り振られる。この例では、ビンＣ５２５は、ビンＢ５２０内にネスト化される。ＵＥが、ＣＢ−ＰＵＳＣＨ送信のためにいずれのビン５１５〜５２５を使用すべきかを決定するとき、送信されるべきデータの量に基づいてビンを選択し得る。したがって、ＣＢ−ＰＵＳＣＨリソース３１０−ｂを使用して送信されるべきデータの量に適しているリソースの量を有するビンをＵＥが選択することを通して、ＣＢ−ＰＵＳＣＨ送信のためにリソースが効率的に使用され得る。
【００５６】
[0071]ＣＢ−ＰＵＳＣＨリソースを使用してデータを送信することに加え、本開示のいくつかの態様は、ＣＢ−ＰＵＳＣＨリソースを使用してＢＳＲが送信され得ることを提供し得る。図６は、本開示の一態様による、例示的なＰＵＳＣＨリソース３０５−ｃと、ワイヤレス通信システムにおけるアップリンク送信のために使用され得るＰＵＳＣＨリソース３０５−ｃ内の割り振られたＣＢ−ＰＵＳＣＨリソース３１０−ｃとを概念的に示すブロック図６００である。いくつかの例では、図１の基地局１０５など、基地局が、競合ベース送信において使用するためのＣＢ−ＰＵＳＣＨリソース３１０−ｃを割り振り得、ＣＢ−ＰＵＳＣＨリソース３１０−ｃを示すシグナリングをユーザ機器（ＵＥ）に送信し得る。ＰＵＳＣＨリソース３０５−ｃは、たとえば、図２に記載されているようなアップリンクリソースを含み得、ＣＢ−ＰＵＳＣＨリソース３１０−ｃは、図２に記載されているようないくつかのＣＢ−ＰＵＳＣＨ  ＲＢ２５６を含み得る。この例では、３つのビン６１５〜５２５、すなわち、ビンＡ６１５と、ビンＢ６２０と、ビンＣ６２５とが割り振られる。
【００５７】
[0072]さらに、この例では、基地局は、ＣＢ−ＰＵＳＣＨリソース３１０−ｃ内でＢＳＲを送信するためにＵＥによって使用され得るいくつかのＢＳＲリソース６３０〜６４０を構成し得る。ＢＳＲリソース６３０〜６４０は、たとえば、ビン６１５〜６２５内の１つのＲＢ上の１つの符号分割多重化（ＣＤＭ）コードを含み得る。ＵＥが、基地局からアップリンク許可を受信するために、ＢＳＲを送信するためにこれらのＢＳＲリソースを使用し得る。いくつかの例では、ＵＥは、ＣＲＣ（２４ビット）とともに、ＢＳＲ＋Ｃ−ＲＮＴＩ（２４ビット）を送信し得る。ＲＢごとにいくつかの直交コードがあり得、ＢＳＲが基地局において正常に受信されることになる可能性をさらに向上させるために、ＵＥによって１つの直交コードがランダムに選択され得る。サブフレームｎ中でＢＳＲが正常に受信された場合、基地局は、サブフレームｎ＋４中でアップリンク許可を送信し得る。いくつかの例によれば、基地局は、各ビン６１５〜６２５についてのビンタイプを、データビン、またはＢＳＲリソースを含むビンであるように構成し得、この情報は、たとえば、ＲＲＣメッセージを使用してＵＥにシグナリングされ得る。
【００５８】
[0073]いくつかの例では、基地局が常に、あらゆるＣＢ−ＰＵＳＣＨデータビン６１５〜６２５を用いてＣＢ−ＰＵＳＣＨ  ＢＳＲ  ＲＢ６３０〜６４０を構成し得る。ＵＥが、データビン６１５〜６２５を選び、次いで、対応するＢＳＲ  ＲＢ６３０〜６４０における内からのＢＳＲビンを選び得る。したがって、同じデータビンを選定するＵＥ間のみに競合があるので、ＣＢ  ＢＳＲ送信は、ＣＢ−ＰＵＳＣＨデータ送信よりも信頼できることになる。さらに、そのようなＢＳＲ送信はまた、基地局が、衝突解決、および、したがってＨＡＲＱプロシージャを実行することを可能にし得る。ＨＡＲＱ動作は、ＵＥによるＣＢ−ＰＵＳＣＨ送信のために使用されたビン６１５〜６２５とともにＣ−ＲＮＴＩに依拠し得る。基地局は、ＢＳＲおよびＣ−ＲＮＴＩが復号された場合、競合を解決し、ＨＡＲＱを使用し得る。
【００５９】
[0074]図７に、本開示の様々な態様による、ワイヤレス通信において使用するためのデバイス７０５のブロック図７００を示す。デバイス７０５は、図１を参照しながら説明したＵＥ１１５の１つまたは複数の態様の一例であり得る。デバイス７０５は、受信機モジュール７１０、競合ベースチャネルアクセスモジュール７１５、および／または送信機モジュール７２０を含み得る。デバイス７０５はまた、プロセッサ（図示せず）であるか、またはプロセッサを含み得る。これらのモジュールの各々は互いと通信し得る。デバイス７０５はまた、図９および図１２を参照説明するＵＥ１１５−ａまたは基地局１０５−ａの一例を表し得る。
【００６０】
[0075]デバイス７０５の構成要素は、適用可能な機能の一部または全部をハードウェアで実行するように適応された１つまたは複数の特定用途向け集積回路（ＡＳＩＣ）を使用して、個々にまたはまとめて実装され得る。代替的に、それらの機能は、１つまたは複数の他の処理ユニット（またはコア）によって、１つまたは複数の集積回路上で実行され得る。他の例では、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得、これらは、当技術分野で知られている任意の様式でプログラムされ得る。各モジュールの機能はまた、全体的にまたは部分的に、１つまたは複数の汎用または特定用途向けプロセッサによって実行されるようにフォーマットされた、メモリ中に組み込まれた命令を用いて実装され得る。
【００６１】
[0076]受信機モジュール７１０は、パケット、ユーザデータ、および／または様々な情報チャネル（たとえば、制御チャネル、データチャネルなど）に関連する制御情報などの情報を受信し得る。受信機モジュール７１０は、たとえば、アップリンクデータを送信するためのＣＢ−ＰＵＳＣＨリソースを示すシグナリングを受信するように構成され得る。情報は、競合ベースチャネルアクセスモジュール７１５に、およびデバイス７０５の他の構成要素に受け渡され得る。受信機モジュール７１０はまた、図９および図１２を参照しながら説明するトランシーバモジュール９３５または基地局トランシーバモジュール１２５０の態様の例を表し得る。
【００６２】
[0077]競合ベースチャネルアクセスモジュール７１５は、図２〜図６に関して上記で説明したように、アップリンクリソースのセットを使用して送信されるべきデータを識別するように構成され得、アップリンクリソースの競合ベースサブセットを使用してまたはアップリンクリソースの許可ベースサブセットを使用して、データが送信されるべきであると決定し得る。競合ベースチャネルアクセスモジュール７１５は、図９を参照しながら説明するプロセッサ９０５など、プロセッサの一態様であり得る。
【００６３】
[0078]送信機モジュール７２０は、デバイス７０５の他の構成要素から受信された１つまたは複数の信号を送信し得る。送信機モジュール７２０は、たとえば、アップリンクリソースの競合ベースサブセットまたはアップリンクリソースの許可ベースサブセットを使用してデータを送信し得る。いくつかの例では、送信機モジュール７２０は、トランシーバモジュールにおいて受信機モジュール７１０とコロケートされ得る。送信機モジュール７２０はまた、図９および図１２を参照しながら説明するトランシーバモジュール９３５または基地局トランシーバモジュール１２５０の態様の例を表し得る。
【００６４】
[0079]図８に、様々な例による、ワイヤレス通信において使用するためのデバイス７０５−ａのブロック図８００を示す。デバイス７０５−ａは、図１を参照しながら説明したＵＥ１１５の１つまたは複数の態様の一例であり得る。デバイス７０５−ａはまた、図７を参照しながら説明したデバイス７０５の一例であり得る。デバイス７０５−ａは、受信機モジュール７１０−ａ、競合ベースチャネルアクセスモジュール７１５−ａ、および／または送信機モジュール７２０−ａを含み得、それらは、デバイス７０５の対応するモジュールの例であり得る。デバイス７０５−ａは、プロセッサ（図示せず）をも含み得る。これらの構成要素の各々は互いに通信していることがある。競合ベースチャネルアクセスモジュール７１５−ａは、競合ベースリソース決定モジュール８０５、データ識別モジュール８１０、スケジューリング要求モジュール８１５、および随意のＢＳＲモジュール８２０を含み得る。受信機モジュール７１０−ａおよび送信機モジュール７２０−ａは、それぞれ、図７の受信機モジュール７１０および送信機モジュール７２０の機能を実行し得る。デバイス７０５−ａの構成要素の各々は、プロセッサの態様、たとえば、図９を参照しながら説明するプロセッサ９０５を示し得る。
【００６５】
[0080]競合ベースリソース決定モジュール８０５は、図２〜図６に関して上記で説明したように、アップリンクリソースの競合ベースサブセットを使用してまたはアップリンクリソースの許可ベースサブセットを使用して送信されるべきであるデータを識別し得る。場合によっては、競合ベースリソース決定モジュール８０５は、アップリンクリソースの競合ベースサブセットを使用してデータが送信されるべきであると決定することに基づいて、アップリンクリソースの競合ベースサブセットのうちの１つまたは複数のリソースを識別し、アップリンクリソースの競合ベースサブセットのうちの識別されたリソースを使用して、データを自律的に送信し得る。いくつかの例では、データを送信するために競合ベースアップリンク送信のための１つまたは複数の割り振られたビンが識別され、選択され得る。競合ベースリソース決定モジュール８０５は、複数の割り振られたビンからビンをランダムに選択し得、または競合ベースリソース決定モジュール８０５は、送信されるべきデータの１つまたは複数の特性を識別し、特性に基づいてビンを選択し得、ここで、特性は、送信されるべきデータの量、送信されるべきデータに関連するトラフィックのタイプ、または送信されるべきデータのソース、あるいはそれらの任意の組合せを含み得る。場合によっては、競合ベースリソース決定モジュール８０５は、１つまたは複数の割り振られたビンを示すシグナリングを受信し得、ここで、シグナリングは、ＲＲＣシグナリング、ＳＩＢ、ＰＤＣＣＨ、またはそれらの任意の組合せであり得る。
【００６６】
[0081]さらに、競合ベースリソース決定モジュール８０５は、アップリンクリソースの競合ベースサブセットに基づいて、データを送信するための変調およびコーディング方式を決定し得、競合ベースリソース決定モジュール８０５は、アップリンクリソースの競合ベースサブセットに基づいて、データを送信するための利用可能な送信電力のセットから送信電力を決定し得る。他の例では、競合ベースリソース決定モジュール８０５は、ＳＲ要求が送信されてからの経過時間がしきい値を超えると決定することによって、競合ベースリソースを使用してデータが送信されるべきであると決定し得る。競合ベースリソース決定モジュール８０５はまた、無線ネットワーク一時識別子（ＲＮＴＩ）のセットを受信し、ＰＤＣＣＨを監視するために使用されるべきＲＮＴＩのセットからのＲＮＴＩを決定し、決定されたＲＮＴＩについてＰＤＣＣＨを監視し得、ここで、監視することに基づいて、アップリンクリソースの競合ベースサブセットのうちの１つまたは複数のリソースが識別される。
【００６７】
[0082]データ識別モジュール８１０は、図２〜図６に関して上記で説明したのと同様の様式で、アップリンクリソースのセットを使用して送信されるべきであるデータを識別し得る。場合によっては、データは、データペイロード、データを送信するデバイスの識別情報、または送信されるべきであるデータの量を示すバッファステータス報告、あるいはそれらの任意の組合せを含み得る。
【００６８】
[0083]スケジューリング要求（ＳＲ）モジュール８１５は、図２〜図６に関して上記で説明したのと同様の様式で、アップリンクリソースの許可ベースサブセットを使用してデータが送信されるべきであると決定することに基づいて、アップリンク制御チャネルを使用してスケジューリング要求を送信し得、データを送信するために、アップリンクリソースの許可ベースサブセットを割り振るアップリンク許可を受信し得る。いくつかの例では、ＳＲモジュール８１５は、アップリンクリソースの競合ベースサブセットが、データに関連する同時ＳＲをサポートすると決定し得、アップリンクリソースの競合ベースサブセットを使用して、データと同時にＳＲを送信する。他の場合には、ＳＲモジュール８１５は、アップリンクリソースの競合ベースサブセットを使用してデータを送信したことに応答して、ＮＡＣＫメッセージが受信される、またはＡＣＫ／ＮＡＣＫメッセージ受信されないと決定し得、ＮＡＣＫメッセージが受信される、またはＡＣＫ／ＮＡＣＫメッセージが受信されないと決定することに少なくとも部分的に基づいて、データに関連するＳＲを送信し得る。
【００６９】
[0084]ＢＳＲモジュール８２０は、図６に関して上記で説明したように、ＢＳＲを決定し、専用ＢＳＲリソースを使用してＢＳＲを送信し得る。ＢＳＲは、送信されるべきデータの量と、ＢＳＲを送信するデバイスの識別子とを示し得る。場合によっては、ＢＳＲモジュール８２０は、図３に関して説明したように、アップリンクリソースの競合ベースサブセットを使用してＢＳＲが送信されるべきであると決定し得、アップリンクリソースの競合ベースサブセットを使用して、ＢＳＲを自律的に送信し得、それは、アップリンクリソースの競合ベースサブセット内の識別されたＢＳＲリソースを使用し得る。場合によっては、識別されたＢＳＲリソースは、アップリンクリソースの競合ベースサブセットのうちの１つのリソースブロック上のＣＤＭコードを含み得る。送信されるべきデータが、アップリンクリソースの競合ベースサブセットを使用する送信に関するデータのしきい値量を超えるとき、ＢＳＲが送信され得る。他の例では、ＢＳＲモジュール８２０は、アップリンクリソースの競合ベースサブセットを使用するデータの送信の不成功に基づいて、ＢＳＲ送信に応答するアップリンク許可を受信し得る。他の場合には、ＢＳＲモジュール８２０は、ＢＳＲの送信に応答する、アップリンクリソースの許可ベースサブセットのうちの１つまたは複数のリソースを割り振るアップリンク許可を受信し得る。
【００７０】
[0085]図９に、様々な例による、ワイヤレス通信において使用するためのシステム９００を示す。システム９００はまた、図１のＵＥ１１５の一例であり得るＵＥ１１５−ａを含み得る。ＵＥ１１５−ａはまた、図７および図８のデバイス７０５の１つまたは複数の態様の一例であり得る。
【００７１】
[0086]ＵＥ１１５−ａは、概して、通信を送信するための構成要素と通信を受信するための構成要素とを含む、双方向音声およびデータ通信のための構成要素を含み得る。ＵＥ１１５−ａは、（１つまたは複数の）アンテナ９４０と、トランシーバモジュール９３５と、プロセッサ９０５と、（ソフトウェア（ＳＷ）９２０を含む）メモリ９１５とを含み得、それらはそれぞれ、（たとえば、１つまたは複数のバス９４５を介して）直接的または間接的に互いに通信し得る。トランシーバモジュール９３５は、上記で説明したように、（１つまたは複数の）アンテナ９４０および／あるいは１つまたは複数のワイヤードまたはワイヤレスリンクを介して、１つまたは複数のネットワークと双方向に通信するように構成され得る。たとえば、トランシーバモジュール９３５は、図１に関して基地局１０５と双方向に通信するように構成され得る。トランシーバモジュール９３５は、パケットを変調し、変調されたパケットを送信のために（１つまたは複数の）アンテナ９４０に与え、（１つまたは複数の）アンテナ９４０から受信されたパケットを復調するように構成されたモデムを含み得る。ＵＥ１１５−ａは単一のアンテナ９４０を含み得るが、ＵＥ１１５−ａは、複数のワイヤレス送信を同時に送信および／または受信することが可能な複数のアンテナ９４０を有し得る。トランシーバモジュール９３５は、複数のコンポーネントキャリアを介して１つまたは複数の基地局１０５と同時に通信することが可能であり得る。
【００７２】
[0087]ＵＥ１１５−ａは、図７および図８のデバイス７０５の競合ベースチャネルアクセスモジュール７１５のための上記で説明した機能を実行し得る、競合ベースチャネルアクセスモジュール７１５−ｂを含み得る。ＵＥ１１５−ａはまた、図２〜図６に関して上記で説明したのと同様の様式で、ＣＢ−ＰＵＳＣＨリソースを使用して送信されるべきであるデータを決定し得る、データ識別モジュール９２５を含み得る。ＵＥ１１５−ａはまた、図２〜図６に関して上記で説明したのと同様の様式で、ＣＢ−ＰＵＳＣＨ送信において使用するためのリソースを識別し得る、リソース識別モジュール９３０を含み得る。
【００７３】
[0088]メモリ９１５は、ランダムアクセスメモリ（ＲＡＭ）と読取り専用メモリ（ＲＯＭ）とを含み得る。メモリ９１５は、実行されたとき、プロセッサ９０５に本明細書で説明する様々な機能（たとえば、ＣＢ−ＰＵＳＣＨ送信および関係する決定など）を実行させるように構成された命令を含んでいるコンピュータ可読、コンピュータ実行可能ソフトウェア／ファームウェアコード９２０を記憶し得る。代替的に、コンピュータ可読、コンピュータ実行可能ソフトウェア／ファームウェアコード９２０は、プロセッサ９０５によって直接的に実行可能でないことがあるが、（たとえば、コンパイルされ、実行されたとき）コンピュータに本明細書で説明する機能を実行させるように構成され得る。プロセッサ９０５は、インテリジェントハードウェアデバイス、たとえば、中央処理ユニット（ＣＰＵ）、マイクロコントローラ、特定用途向け集積回路（ＡＳＩＣ）などを含み得る。
【００７４】
[0089]図１０に、本開示の様々な態様による、ワイヤレス通信において使用するための装置１００５のブロック図１０００を示す。いくつかの例では、装置１００５は、図１を参照しながら説明した基地局１０５のうちの１つまたは複数の態様の一例であり得る。いくつかの例では、装置１００５は、ＬＴＥ／ＬＴＥ−Ａ  ｅＮＢおよび／またはＬＴＥ／ＬＴＥ−Ａ基地局一部であるか、またはそれを含み得る。装置１００５はまた、プロセッサであり得る。装置１００５は、受信機モジュール１０１０、競合ベースアップリンクチャネルアクセスモジュール１０１５、および／または送信機モジュール１０２０を含み得る。これらのモジュールの各々は互いと通信していることがある。装置１００５はまた、図９および図１２を参照しながら説明するＵＥ１１５−ａまたは基地局１０５−ａの一例を表し得る。
【００７５】
[0090]装置１００５の構成要素は、適用可能な機能の一部または全部をハードウェアで実行するように適応された１つまたは複数のＡＳＩＣを使用して、個々にまたはまとめて実装され得る。代替的に、それらの機能は、１つまたは複数の他の処理ユニット（またはコア）によって、１つまたは複数の集積回路上で実行され得る。他の例では、他のタイプの集積回路（たとえば、ストラクチャード／プラットフォームＡＳＩＣ、ＦＰＧＡ、および他のセミカスタムＩＣ）が使用され得、これらは、当技術分野で知られている任意の様式でプログラムされ得る。各構成要素の機能はまた、全体的にまたは部分的に、１つまたは複数の汎用または特定用途向けプロセッサによって実行されるようにフォーマットされた、メモリ中に組み込まれた命令を用いて実装され得る。
【００７６】
[0091]いくつかの例では、受信機モジュール１０１０は、ＣＢ−ＰＵＳＣＨ送信を受信するように動作可能な無線周波数（ＲＦ）受信機など、少なくとも１つのＲＦ受信機を含み得る。受信機モジュール１０１０は、図１を参照しながら説明したワイヤレス通信システム１００の１つまたは複数の通信リンクなど、ワイヤレス通信システムの１つまたは複数の通信リンク上で様々なタイプのデータおよび／または制御信号（すなわち、送信）を受信するために使用され得る。受信機モジュール１０１０はまた、図９および図１２を参照しながら説明するトランシーバモジュール９３５または基地局トランシーバモジュール１２５０の態様の例を表し得る。
【００７７】
[0092]いくつかの例では、送信機モジュール１０２０は、ＣＢ−ＰＵＳＣＨリソースに関係する割振り情報を送信するように動作可能な少なくとも１つのＲＦ送信機など、少なくとも１つのＲＦ送信機を含み得る。送信機モジュール１０２０は、図１を参照しながら説明したワイヤレス通信システム１００の１つまたは複数の通信リンクなど、ワイヤレス通信システムの１つまたは複数の通信リンク上で様々なタイプのデータおよび／または制御信号（すなわち、送信）を送信するために使用され得る。送信機モジュール１０２０はまた、図９および図１２を参照しながら説明するトランシーバモジュール９３５または基地局トランシーバモジュール１２５０の態様の例を表し得る。
【００７８】
[0093]いくつかの例では、競合ベースアップリンクチャネルアクセスモジュール１０１５は、図２〜図６に関して上記で説明したように、ＣＢ−ＰＵＳＣＨリソースとＣＢ−ＰＵＳＣＨリソース上の受信された送信とを使用して競合ベースリソース割振りおよび関係する動作を実行するように構成され得る。
【００７９】
[0094]図１１に、本開示の様々な態様による、ワイヤレス通信において使用するための装置１００５−ａのブロック図１１００を示す。いくつかの例では、装置１００５−ａは、図１を参照しながら説明した基地局１０５のうちの１つまたは複数の態様の一例、および／または図１０を参照しながら説明した装置１００５の態様の一例であり得る。いくつかの例では、装置１００５−ａは、ＬＴＥ／ＬＴＥ−Ａ  ｅＮＢおよび／またはＬＴＥ／ＬＴＥ−Ａ基地局一部であるか、またはそれを含み得る。装置１００５−ａはまた、プロセッサであり得る。装置１００５−ａは、受信機モジュール１０１０−ａ、競合ベースアップリンクチャネルアクセスモジュール１０１５−ａ、および／または送信機モジュール１０２０−ａを含み得る。これらのモジュールの各々は互いと通信していることがある。
【００８０】
[0095]装置１００５−ａの構成要素は、適用可能な機能の一部または全部をハードウェアで実行するように適応された１つまたは複数のＡＳＩＣを使用して、個々にまたはまとめて実装され得る。代替的に、それらの機能は、１つまたは複数の他の処理ユニット（またはコア）によって、１つまたは複数の集積回路上で実行され得る。他の例では、他のタイプの集積回路（たとえば、ストラクチャード／プラットフォームＡＳＩＣ、ＦＰＧＡ、および他のセミカスタムＩＣ）が使用され得、当技術分野で知られている任意の様式でプログラムされ得る。各構成要素の機能はまた、全体的にまたは部分的に、１つまたは複数の汎用または特定用途向けプロセッサによって実行されるようにフォーマットされた、メモリ中に組み込まれた命令を用いて実装され得る。
【００８１】
[0096]いくつかの例では、受信機モジュール１０１０−ａは、図１０を参照しながら説明した受信機モジュール１０１０の１つまたは複数の態様の一例であり得る。いくつかの例では、受信機モジュール１０１０−ａは、ＣＢ−ＰＵＳＣＨ送信を受信するように動作可能な少なくとも１つの無線周波数（ＲＦ）受信機など、少なくとも１つのＲＦ受信機を含み得る。受信機モジュール１０１０−ａは、図１を参照しながら説明したワイヤレス通信システム１００の１つまたは複数の通信リンクなど、ワイヤレス通信システムの１つまたは複数の通信リンク上で様々なタイプのデータおよび／または制御信号（すなわち、送信）を受信するために使用され得る。受信機モジュール１０１０−ａはまた、図９および図１２を参照しながら説明するトランシーバモジュール９３５または基地局トランシーバモジュール１２５０の態様の例を表し得る。
【００８２】
[0097]いくつかの例では、送信機モジュール１０２０−ａは、図１０を参照しながら説明した送信機モジュール１０２０の１つまたは複数の態様の一例であり得る。いくつかの例では、送信機モジュール１０２０−ａは、ＣＢ−ＰＵＳＣＨリソースのためのリソース割振りを送信するように動作可能な少なくとも１つのＲＦ送信機など、少なくとも１つのＲＦ送信機を含み得る。送信機モジュール１０２０−ａは、図１を参照しながら説明したワイヤレス通信システム１００の１つまたは複数の通信リンクなど、ワイヤレス通信システムの１つまたは複数の通信リンク上で様々なタイプのデータおよび／または制御信号（すなわち、送信）を送信するために使用され得る。送信機モジュール１０２０−ａは、図９および図１２を参照しながら説明するトランシーバモジュール９３５または基地局トランシーバモジュール１２５０の態様の例を表し得る。
【００８３】
[0098]競合ベースアップリンクチャネルアクセスモジュール１０１５−ａは、図２〜図６に関して上記で説明したように、ＣＢ−ＰＵＳＣＨ送信を受信し得る競合ベースアップリンク受信モジュール１１０５を含み得る。リソース割振りモジュール１１１０は、ＰＵＳＣＨリソースのためのリソース割振りを決定し得、競合ベースリソース再割振りモジュール１１１５を含み得、それは、図２〜図６に関して上記で説明したのと同様の様式で、ＣＢ−ＰＵＳＣＨリソースを割り振り、再割り振りするように働き得る。スケジューリング要求モジュール１１２０は、図２〜図６に関して上記で説明したのと同様の様式で、ＣＢ−ＰＵＳＣＨリソースを使用してまたは従来のアップリンクリソースを使用して、スケジューリング要求を受信し得る。
【００８４】
[0099]図１２に、本開示の様々な態様による、ワイヤレス通信において使用するための基地局１０５−ａ（たとえば、ｅＮＢの一部または全部を形成する基地局）のブロック図１２００を示す。いくつかの例では、基地局１０５−ａは、図１を参照しながら説明した基地局１０５のうちの１つまたは複数の態様、ならびに／あるいは図１０および／または図１１を参照しながら説明したように、基地局として構成されたときの装置１００５のうちの１つまたは複数の態様の一例であり得る。基地局１０５−ａは、図１を参照しながら説明した基地局および／または装置の特徴および機能のうちの少なくともいくつかを実装するかまたは可能にするように構成され得る。
【００８５】
[0100]基地局１０５−ａは、基地局プロセッサモジュール１２１０、基地局メモリモジュール１２２０、（（１つまたは複数の）基地局トランシーバモジュール１２５０によって表される）少なくとも１つの基地局トランシーバモジュール、（（１つまたは複数の）基地局アンテナ１２５５によって表される）少なくとも１つの基地局アンテナ、および／または競合ベースアップリンクチャネルアクセスモジュール１０１５−ｂを含み得る。基地局１０５−ａは、基地局通信モジュール１２３０および／またはネットワーク通信モジュール１２４０のうちの１つまたは複数をも含み得る。これらのモジュールの各々は、１つまたは複数のバス１２３５上で、直接または間接的に互いと通信していることがある。
【００８６】
[0101]基地局メモリモジュール１２２０は、ランダムアクセスメモリ（ＲＡＭ）および／または読取り専用メモリ（ＲＯＭ）を含み得る。基地局メモリモジュール１２２０は、実行されたとき、ワイヤレス通信に関係する本明細書で説明する様々な機能（たとえば、ＣＢ−ＰＵＳＣＨ送信など）を基地局プロセッサモジュール１２１０に実行させるように構成された命令を含んでいるコンピュータ可読、コンピュータ実行可能ソフトウェア／ファームウェアコード１２２５を記憶し得る。代替的に、コンピュータ可読、コンピュータ実行可能ソフトウェア／ファームウェアコード１２２５は、基地局プロセッサモジュール１２１０によって直接的に実行可能でないことがあるが、（たとえば、コンパイルされ、実行されたとき）本明細書で説明する機能のうちのいくつかを基地局１０５−ａに実行させるように構成され得る。
【００８７】
[0102]基地局プロセッサモジュール１２１０は、インテリジェントハードウェアデバイス、たとえば、中央処理ユニット（ＣＰＵ）、マイクロコントローラ、ＡＳＩＣなどを含み得る。基地局プロセッサモジュール１２１０は、（１つまたは複数の）基地局トランシーバモジュール１２５０、基地局通信モジュール１２３０、および／またはネットワーク通信モジュール１２４０を通して受信された情報を処理し得る。基地局プロセッサモジュール１２１０はまた、（１つまたは複数の）アンテナ１２５５を通した送信のために（１つまたは複数の）トランシーバモジュール１２５０に送られるべき情報、１つまたは複数の他の基地局１０５−ｂおよび１０５−ｃへの送信のために基地局通信モジュール１２３０に送られるべき情報、ならびに／または図１を参照しながら説明したコアネットワーク１３０の１つまたは複数の態様の一例であり得る、コアネットワーク１２４５への送信のためにネットワーク通信モジュール１２４０に送られるべき情報を処理し得る。基地局プロセッサモジュール１２１０は、単独でまたは競合ベースアップリンクチャネルアクセスモジュール１０１５−ｂとともに、ＣＢ−ＰＵＳＣＨリソース割振りおよびシグナリング、ＣＢ−ＰＵＳＣＨ送信の受信、ＳＲ送信の受信および処理、ならびに／またはＢＳＲ送信の受信および処理の様々な態様を処理し得る。
【００８８】
[0103]（１つまたは複数の）基地局トランシーバモジュール１２５０は、パケットを変調し、変調されたパケットを送信のために（１つまたは複数の）基地局アンテナ１２５５に与え、（１つまたは複数の）基地局アンテナ１２５５から受信されたパケットを復調するように構成されたモデムを含み得る。（１つまたは複数の）基地局トランシーバモジュール１２５０は、いくつかの例では、１つまたは複数の基地局送信機モジュールおよび１つまたは複数の別個の基地局受信機モジュールとして実装され得る。（１つまたは複数の）基地局トランシーバモジュール１２５０は、第１の無線周波数スペクトル帯域および／または第２の無線周波数スペクトル帯域における通信をサポートし得る。（１つまたは複数の）基地局トランシーバモジュール１２５０は、（１つまたは複数の）アンテナ１２５５を介して、図１を参照しながら説明したＵＥ１１５のうちの１つまたは複数など、１つまたは複数のＵＥまたは装置と双方向に通信するように構成され得る。基地局１０５−ａは、たとえば、複数の基地局アンテナ１２５５（たとえば、アンテナアレイ）を含み得る。基地局１０５−ａは、ネットワーク通信モジュール１２４０を通してコアネットワーク１２４５と通信し得る。基地局１０５−ａはまた、基地局通信モジュール１２３０を使用して、基地局１０５−ｂおよび１０５−ｃなど、他の基地局と通信し得る。
【００８９】
[0104]競合ベースアップリンクチャネルアクセスモジュール１０１５−ｂは、ＣＢ−ＰＵＳＣＨ送信に関係する図２〜図１０を参照しながら説明した特徴および／または機能の一部または全部を実行および／または制御するように構成され得る。競合ベースアップリンクチャネルアクセスモジュール１０１５−ｂ、またはモジュール１０１５−ｂの部分は、プロセッサを含み得、ならびに／あるいは、競合ベースアップリンクチャネルアクセスモジュール１０１５−ｂの機能の一部または全部は、基地局プロセッサモジュール１２１０によって、および／または基地局プロセッサモジュール１２１０とともに実行され得る。いくつかの例では、競合ベースアップリンクチャネルアクセスモジュール１０１５−ｂは、図１０および／または図１１を参照しながら説明した競合ベースアップリンクチャネルアクセスモジュール１０１５および／または１０１５−ａの一例であり得る。
【００９０】
[0105]図１３は、基地局１０５−ｄとＵＥ１１５−ｂとを含む多入力多出力（ＭＩＭＯ）通信システム１３００のブロック図である。ＭＩＭＯ通信システム１３００は、図１に示されているワイヤレス通信システム１００の態様を示し得る。基地局１０５−ｂはアンテナ１３３４−ａ〜１３３４−ｘを装備し得、ＵＥ１１５−ｂはアンテナ１３５２−ａ〜１３５２−ｎを装備し得る。ＭＩＭＯ通信システム１３００では、基地局１０５−ｄは、同時に複数の通信リンクを介してデータを送ることが可能であり得る。各通信リンクは「レイヤ」と呼ばれることがあり、通信リンクの「ランク」は、通信のために使用されるレイヤの数を示し得る。たとえば、基地局１０５−ｄが２つの「レイヤ」を送信する２×２ＭＩＭＯ通信システムでは、基地局１０５−ｄとＵＥ１１５−ｂとの間の通信リンクのランクは２である。
【００９１】
[0106]基地局１０５−ｄにおいて、送信プロセッサ１３２０は、データソースからデータを受信し得る。送信プロセッサ１３２０は、データを処理し得る。送信プロセッサ１３２０はまた、制御シンボルおよび／または基準シンボルを生成し得る。送信（ＴＸ）ＭＩＭＯプロセッサ１３３０が、適用可能な場合、データシンボル、制御シンボル、および／または基準シンボルに対して空間処理（たとえば、プリコーディング）を実行し得、出力シンボルストリームを変調器／復調器１３３２−ａ〜１３３２−ｘに与え得る。各変調器／復調器１３３２は、出力サンプルストリームを取得するために、（たとえば、ＯＦＤＭなどのために）それぞれの出力シンボルストリームを処理し得る。各変調器／復調器１３３２はさらに、ＤＬ信号を取得するために、出力サンプルストリームを処理（たとえば、アナログへの変換、増幅、フィルタ処理、およびアップコンバート）し得る。一例では、変調器／復調器１３３２−ａ〜１３３２−ｘからのＤＬ信号は、それぞれアンテナ１３３４−ａ〜１３３４−ｘを介して送信され得る。
【００９２】
[0107]ＵＥ１１５−ｂにおいて、ＵＥアンテナ１３５２−ａ〜１３５２−ｎは、基地局１０５−ｄからＤＬ信号を受信し得、受信信号をそれぞれ復調器１３５４−ａ〜１３５４−ｎに与え得る。各復調器１３５４は、入力サンプルを取得するために、それぞれの受信信号を調整（たとえば、フィルタ処理、増幅、ダウンコンバート、およびデジタル化）し得る。各復調器１３５４はさらに、受信シンボルを取得するために、（たとえば、ＯＦＤＭなどのために）入力サンプルを処理し得る。ＭＩＭＯ検出器１３５６は、すべての復調器１３５４−ａ〜１３５４−ｎから受信シンボルを取得し、適用可能な場合は受信シンボルに対してＭＩＭＯ検出を実行し、検出されたシンボルを与え得る。受信プロセッサ１３５８が、検出されたシンボルを処理（たとえば、復調、デインターリーブ、および復号）し、ＵＥ１１５−ｂのための復号されたデータをデータ出力に与え、復号された制御情報をプロセッサ１３８０、またはメモリ１３８２に与え得る。
【００９３】
[0108]プロセッサ１３８０は、場合によっては、競合ベースチャネルアクセスモジュール７１５−ｃのうちの１つまたは複数をインスタンス化するための記憶された命令を実行し得る。競合ベースチャネルアクセスモジュール７１５−ｃは、図７、図８および／または図９を参照しながら説明した競合ベースチャネルアクセスモジュール７１５の態様の一例であり得る。
【００９４】
[0109]アップリンク（ＵＬ）上で、ＵＥ１１５−ｂにおいて、送信プロセッサ１３６４が、データソースからデータを受信し、処理し得る。送信プロセッサ１３６４はまた、基準信号のための基準シンボルを生成し得る。送信プロセッサ１３６４からのシンボルは、適用可能な場合は送信ＭＩＭＯプロセッサ１３６６によってプリコーディングされ、さらに（たとえば、ＳＣ−ＦＤＭＡなどのために）復調器１３５４−ａ〜１３５４−ｎによって処理され、基地局１０５−ｄから受信された送信パラメータに従って基地局１０５−ｄに送信され得る。基地局１０５−ｄにおいて、ＵＥ１１５−ｂからのＵＬ信号がアンテナ１３３４によって受信され、変調器／復調器１３３２によって処理され、適用可能な場合はＭＩＭＯ検出器１３３６によって検出され、受信プロセッサ１３３８によってさらに処理され得る。受信プロセッサ１３３８は、復号されたデータをデータ出力とプロセッサ１３４０および／またはメモリ１３４２とに与え得る。プロセッサ１３４０は、場合によっては、競合ベースアップリンクチャネルアクセスモジュール１０１５−ｃのうちの１つまたは複数をインスタンス化するための記憶された命令を実行し得る。競合ベースアップリンクチャネルアクセスモジュール１０１５−ｃは、図１０、図１１および／または図１２を参照しながら説明した競合ベースアップリンクチャネルアクセスモジュール１０１５の態様の一例であり得る。
【００９５】
[0110]ＵＥ１１５−ｂの構成要素は、適用可能な機能の一部または全部をハードウェアで実行するように適応された１つまたは複数のＡＳＩＣを用いて、個々にまたはまとめて実装され得る。言及されたモジュールの各々は、ＭＩＭＯ通信システム１３００の動作に関係する１つまたは複数の機能を実行するための手段であり得る。同様に、基地局１０５−ｃの構成要素は、適用可能な機能の一部または全部をハードウェアで実行するように適応された１つまたは複数のＡＳＩＣを用いて、個々にまたはまとめて実装され得る。言及された構成要素の各々は、ＭＩＭＯ通信システム１３００の動作に関係する１つまたは複数の機能を実行するための手段であり得る。
【００９６】
[0111]図１４は、本開示の様々な態様による、ワイヤレス通信のための方法１４００の一例を示すフローチャートである。明快のために、方法１４００について、図１、図９および／または図１３を参照しながら説明したＵＥ１１５のうちの１つまたは複数の態様、ならびに／あるいは図７および／または図８を参照しながら説明したデバイス７０５の態様に関して以下で説明する。いくつかの例では、ＵＥは、以下で説明する機能を実行するようにＵＥの機能要素を制御するためのコードの１つまたは複数のセットを実行し得る。追加または代替として、ＵＥは、専用ハードウェアを使用して、以下で説明する機能のうちの１つまたは複数を実行し得る。
【００９７】
[0112]ブロック１４０５において、方法１４００は、アップリンクリソースのセットを使用して送信されるべきデータを識別することを含み得る。ブロック１４０５における（１つまたは複数の）動作は、図７〜図９および／または図１３を参照しながら説明した競合ベースチャネルアクセスモジュール７１５を使用して実行され得る。
【００９８】
[0113]ブロック１４１０において、方法１４００は、アップリンクリソースの競合ベースサブセットを使用してまたはアップリンクリソースの許可ベースサブセットを使用して、データが送信されるべきであると決定することを含み得る。ブロック１４１０における（１つまたは複数の）動作は、図７〜図９および／または図１３を参照しながら説明した競合ベースチャネルアクセスモジュール７１５を使用して実行され得る。
【００９９】
[0114]ブロック１４１５において、方法１４００は、アップリンクリソースの競合ベースサブセットまたはアップリンクリソースの許可ベースサブセットを使用してデータを送信することを含み得る。ブロック１４１５における（１つまたは複数の）動作は、図７〜図９および／または図１３を参照しながら説明した競合ベースチャネルアクセスモジュール７１５を使用して実行され得る。
【０１００】
[0115]ブロック１４２０において、方法１４００は、識別されたＣＢ−ＰＵＳＣＨリソースを使用してデータを自律的に送信することを含み得る。ブロック１４２０における（１つまたは複数の）動作は、図７〜図９および／または図１３を参照しながら説明した競合ベースチャネルアクセスモジュール７１５を使用して実行され得る。
【０１０１】
[0116]したがって、方法１４００はワイヤレス通信を提供し得る。方法１４００は一実装形態にすぎないこと、および方法１４００の動作は、他の実装形態が可能であるように、並べ替えられるかまたは場合によっては変更され得ることに留意されたい。
【０１０２】
[0117]図１５は、本開示の様々な態様による、ワイヤレス通信のための方法１５００の一例を示すフローチャートである。明快のために、方法１５００について、図１、図９および／または図１３を参照しながら説明したＵＥ１１５のうちの１つまたは複数の態様、ならびに／あるいは図７および／または図８を参照しながら説明したデバイス７０５の態様に関して以下で説明する。いくつかの例では、ＵＥは、以下で説明する機能を実行するようにＵＥの機能要素を制御するためのコードの１つまたは複数のセットを実行し得る。追加または代替として、ＵＥは、専用ハードウェアを使用して、以下で説明する機能のうちの１つまたは複数を実行し得る。
【０１０３】
[0118]ブロック１５０５において、方法１５００は、アップリンクリソースのセットを使用して送信されるべきデータを識別することを含み得る。ブロック１５０５における（１つまたは複数の）動作は、図７〜図９および／または図１３を参照しながら説明した競合ベースチャネルアクセスモジュール７１５を使用して実行され得る。
【０１０４】
[0119]ブロック１５１０において、方法１５００は、アップリンクリソースの競合ベースサブセットを使用してまたはアップリンクリソースの許可ベースサブセットを使用して、データが送信されるべきであると決定することを含み得る。ブロック１５１０における（１つまたは複数の）動作は、図７〜図９および／または図１３を参照しながら説明した競合ベースチャネルアクセスモジュール７１５を使用して実行され得る。
【０１０５】
[0120]ブロック１５１５において、方法１５００は、アップリンクリソースの競合ベースサブセットを使用してデータが送信されるべきであると決定することに基づいて、アップリンクリソースの競合ベースサブセットのうちの１つまたは複数のリソースを識別し得る。ブロック１５１５における（１つまたは複数の）動作は、図７〜図９および／または図１３を参照しながら説明した競合ベースチャネルアクセスモジュール７１５を使用して実行され得る。
【０１０６】
[0121]ブロック１５２０において、方法１５００は、アップリンクリソースの競合ベースサブセットのうちの識別された１つまたは複数のリソースを使用して、データを自律的に送信し得る。ブロック１５２０における動作は、図７〜図９および／または図１３を参照しながら説明した競合ベースチャネルアクセスモジュール７１５を使用して実行され得る。
【０１０７】
[0122]したがって、方法１５００はワイヤレス通信を提供し得る。方法１５００は一実装形態にすぎないこと、および方法１５００の動作は、他の実装形態が可能であるように、並べ替えられるかまたは場合によっては変更され得ることに留意されたい。いくつかの例では、方法１５００は、アップリンクリソースの許可ベースサブセットを使用してデータが送信されるべきであると決定することに基づいて、アップリンク制御チャネルを使用してＳＲを送信することを含み得、その方法は、データを送信するために、アップリンクリソースの許可ベースサブセットを割り振るアップリンク許可を受信することを含み得る。代替的に、方法１５００は、アップリンクリソースの競合ベースサブセットを使用してデータが送信されるべきであると決定することに基づいて、アップリンクリソースの競合ベースサブセットのうちの１つまたは複数のリソースを識別することを含み得、方法１５００は、アップリンクリソースの競合ベースサブセットのうちの識別された１つまたは複数のリソースを使用してデータを送信することを含み得る。
【０１０８】
[0123]方法１５００は、アップリンクリソースの競合ベースサブセットに基づいて、データを送信するための変調およびコーディング方式（ＭＣＳ）を決定することをも含み得る。場合によっては、方法１５００は、アップリンクリソースの競合ベースサブセットに基づいて、データを送信するための利用可能な送信電力のセットから送信電力を決定することを含む。
【０１０９】
[0124]方法１５００のいくつかの例では、アップリンクリソースの競合ベースサブセットを使用してデータが送信されるべきであると決定することは、ＳＲが送信されてからの経過時間がしきい値を超えると決定することと、次いで、経過時間がしきい値を超えると決定することに基づいて、アップリンクリソースの競合ベースサブセットを使用してデータを送信することを決定することとを含む。
【０１１０】
[0125]ある場合には、アップリンクリソースの競合ベースサブセットのうちの１つまたは複数のリソースを識別することは、競合ベースアップリンク送信のための１つまたは複数の割り振られたビンを識別することと、次いで、データを送信するために１つまたは複数の割り振られたビンのうちのビンを選択することとを含む。
【０１１１】
[0126]１つまたは複数の割り振られたビンのうちのビンを選択することは、複数の割り振られたビンからビンをランダムに選択することを含み得る。または、場合によっては、１つまたは複数の割り振られたビンのうちのビンを選択することは、送信されるべきデータの１つまたは複数の特性を識別することと、１つまたは複数の特性に基づいてビンを選択することとを含む。１つまたは複数の特性は、たとえば、送信されるべきデータの量、送信されるべきデータに関連するトラフィックのタイプ、または送信されるべきデータのソース、あるいはそれらの任意の組合せを含み得る。追加または代替として、方法１５００は、１つまたは複数の割り振られたビンを示すシグナリングを受信することを含み得、ここにおいて、シグナリングが、ＲＲＣシグナリング、システム情報ブロック（ＳＩＢ）、または物理ダウンリンク制御チャネル（ＰＤＣＣＨ）シグナリングのうちの少なくとも１つ、あるいはそれらの任意の組合せを備える。
【０１１２】
[0127]いくつかの例では、方法１５００は、ＲＮＴＩのセットを受信することと、ＰＤＣＣＨを監視するために使用されるべきＲＮＴＩのセットからのＲＮＴＩを決定することと、次いで、決定されたＲＮＴＩについてＰＤＣＣＨを監視することとを含む。たとえば、監視することに基づいて、アップリンクリソースの競合ベースサブセットのうちの１つまたは複数のリソースが識別され得る。
【０１１３】
[0128]方法１５００のいくつかの例では、データは、データペイロード、データを送信するデバイスの識別情報、または送信されるべきであるデータの量を示すバッファステータス報告、あるいはそれらの任意の組合せを含む。追加または代替として、方法１５００は、アップリンクリソースの競合ベースサブセットを使用してデータを送信したことに応答して、否定応答メッセージが受信される、または肯定応答メッセージが受信されないと決定することを含み得、方法１５００は、否定応答メッセージが受信される、または肯定応答メッセージが受信されないと決定することに少なくとも部分的に基づいて、データに関連するスケジューリング要求を送信することを含み得る。
【０１１４】
[0129]方法１５００のいくつかの例によれば、データは、送信されるべきデータの量を示すＢＳＲと、ＢＳＲを送信するデバイスの識別子とを含む。追加または代替として、方法１５００は、アップリンクリソースの競合ベースサブセットを使用してバッファステータス報告（ＢＳＲ）が送信されるべきであると決定することを含み得、方法１５００は、アップリンクリソースの競合ベースサブセットを使用して、ＢＳＲを自律的に送信することを含み得る。
【０１１５】
[0130]アップリンクリソースの競合ベースサブセット内の識別されたＢＳＲリソースを使用してＢＳＲが送信され得る。いくつかの例では、ここにおいて、識別されたＢＳＲリソースは、アップリンクリソースの競合ベースサブセットのうちの１つのリソースブロック上の１つの符号分割多重化（ＣＤＭ）コードを含む。方法１５００は、アップリンクリソースの競合ベースサブセットを使用するデータの送信の不成功に基づいて、ＢＳＲ送信に応答するアップリンク許可を受信することをも含み得る。たとえば、送信されるべきデータが、アップリンクリソースの競合ベースサブセットを使用する送信に関するデータのしきい値量を超えるとき、ＢＳＲが送信され得る。追加または代替として、方法１５００は、ＢＳＲの送信に応答する、アップリンクリソースの許可ベースサブセットのうちの１つまたは複数のリソースを割り振るアップリンク許可を受信することを含み得る。
【０１１６】
[0131]図１６は、本開示の様々な態様による、ワイヤレス通信のための方法１６００の一例を示すフローチャートである。明快のために、方法１６００について、図１、図１２および／または図１３を参照しながら説明した基地局１０５のうちの１つまたは複数の態様、ならびに／あるいは図１０および／または図１１を参照しながら説明した装置１００５のうちの１つまたは複数の態様に関して以下で説明する。いくつかの例では、ＵＥが、以下で説明する機能を実行するように基地局の機能要素を制御するためのコードの１つまたは複数のセットを実行し得る。追加または代替として、基地局は、専用ハードウェアを使用して、以下で説明する機能のうちの１つまたは複数を実行し得る。
【０１１７】
[0132]ブロック１６０５において、方法１６００は、競合ベース物理アップリンク共有チャネル（ＣＢ−ＰＵＳＣＨ）送信において使用するためのリソースを割り振ることを含み得る。ブロック１６０５における（１つまたは複数の）動作は、図１０〜図１３を参照しながら説明した競合ベースアップリンクチャネルアクセスモジュール１０１５を使用して実行され得る。
【０１１８】
[0133]ブロック１６１０において、方法１６００は、ＣＢ−ＰＵＳＣＨリソースを示すシグナリングをユーザ機器（ＵＥ）に送信することを含み得る。ブロック１６１０における（１つまたは複数の）動作は、図１０〜図１３を参照しながら説明した競合ベースアップリンクチャネルアクセスモジュール１０１５を使用して実行され得る。
【０１１９】
[0134]したがって、方法１６００はワイヤレス通信を提供し得る。方法１６００は一実装形態にすぎないこと、および方法１６００の動作は、他の実装形態が可能であるように、並べ替えられるかまたは場合によっては変更され得ることに留意されたい。
【０１２０】
[0135]いくつかの例では、方法１４００〜１６００のうちの２つまたはそれ以上からの態様は、組み合わせられ得る。方法１４００、１５００、１６００は例示的な実装形態にすぎないこと、ならびに方法１４００〜１６００の動作は、他の実装形態が可能であるように、並べ替えられるかまたは場合によっては変更され得ることに留意されたい。
【０１２１】
[0136]本明細書で説明した技法は、ＣＤＭＡ、ＴＤＭＡ、ＦＤＭＡ、ＯＦＤＭＡ、ＳＣ−ＦＤＭＡ、および他のシステムなどの様々なワイヤレス通信システムのために使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））およびＣＤＭＡの他の変形態を含む。ＴＤＭＡシステムは、モバイル通信用グローバルシステム（ＧＳＭ（登録商標）：Global System for Mobile Communications）などの無線技術を実装し得る。ＯＦＤＭＡシステムは、ウルトラモバイルブロードバンド（ＵＭＢ）、発展型ＵＴＲＡ（Ｅ−ＵＴＲＡ：Evolved UTRA）、ＩＥＥＥ８０２．１１（ＷｉＦｉ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡおよびＥ−ＵＴＲＡは、ユニバーサルモバイルテレコミュニケーションシステム（ＵＭＴＳ：Universal Mobile Telecommunication System）の一部である。３ＧＰＰロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明した技法は、無認可および／または共有帯域幅を介したセルラー（たとえば、ＬＴＥ）通信を含む、上述のシステムおよび無線技術、ならびに他のシステムおよび無線技術のために使用され得る。ただし、上記の説明では、例としてＬＴＥ／ＬＴＥ−Ａシステムについて説明し、上記の説明の大部分においてＬＴＥ用語が使用されるが、本技法はＬＴＥ／ＬＴＥ−Ａ適用例以外に適用可能である。
【０１２２】
[0137]添付の図面に関して上記に記載された詳細な説明は、例について説明しており、実装され得るまたは特許請求の範囲内に入る例のみを表すものではない。「例」および「例示的」という語は、この説明で使用されるとき、「例、事例、または例示の働きをすること」を意味し、「好ましい」または「他の例よりも有利な」を意味しない。詳細な説明は、説明する技法の理解を与えるための具体的な詳細を含む。ただし、これらの技法は、これらの具体的な詳細なしに実施され得る。いくつかの事例では、説明した例の概念を不明瞭にすることを回避するために、よく知られている構造および装置がブロック図の形式で示されている。
【０１２３】
[0138]情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１２４】
[0139]本明細書の開示に関して説明した様々な例示的なブロックおよび構成要素は、汎用プロセッサ、デジタル信号プロセッサ（ＤＳＰ）、ＡＳＩＣ、ＦＰＧＡまたは他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、または任意の他のそのような構成としても実装され得る。
【０１２５】
[0140]本明細書で説明した機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとしてコンピュータ可読媒体上に記憶されるか、あるいはコンピュータ可読媒体を介して送信され得る。他の例および実装形態は、本開示および添付の特許請求の範囲の範囲および趣旨内に入る。たとえば、ソフトウェアの性質により、上記で説明した機能は、プロセッサ、ハードウェア、ファームウェア、ハードワイヤリング、またはこれらのうちのいずれかの組合せによって実行されるソフトウェアを使用して実装され得る。機能を実装する特徴はまた、機能の部分が、異なる物理的ロケーションにおいて実装されるように分散されることを含めて、様々な位置に物理的に配置され得る。特許請求の範囲を含めて、本明細書で使用される場合、２つ以上の項目の列挙中で使用されるとき、「および／または」という語は、列挙された項目のうちのいずれか１つが単独で採用され得ること、または列挙された項目のうちの２つ以上の任意の組合せが採用され得ることを意味する。たとえば、組成が構成要素Ａ、Ｂ、および／またはＣを含んでいるものとして表される場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【０１２６】
[0141]コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、フラッシュメモリ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０１２７】
[0142]本開示についての以上の説明は、当業者が本開示を作成または使用することができるように与えたものである。本開示への様々な修正は当業者には容易に明らかとなり、本明細書で定義された一般原理は、本開示の範囲から逸脱することなく他の変形形態に適用され得る。したがって、本開示は、本明細書で説明した例および設計に限定されるべきでなく、本明細書で開示した原理および新規の特徴に合致する最も広い範囲を与えられるべきである。
【図１】
2017535156.tif 000003
【図２】
2017535156.tif 000004
【図３】
2017535156.tif 000005
【図４】
2017535156.tif 000006
【図５】
2017535156.tif 000007
【図６】
2017535156.tif 000008
【図７】
2017535156.tif 000009
【図８】
2017535156.tif 000010
【図９】
2017535156.tif 000011
【図１０】
2017535156.tif 000012
【図１１】
2017535156.tif 000013
【図１２】
2017535156.tif 000014
【図１３】
2017535156.tif 000015
【図１４】
2017535156.tif 000016
【図１５】
2017535156.tif 000017
【図１６】
2017535156.tif 000018
【国際調査報告】
2017535156.tif 000019
2017535156.tif 000020
2017535156.tif 000021